(57)【要約】【課題】導入負担の軽減が図られるとともにエレベータを無駄に移動させることが抑制される設備制御装置、利用者情報生成装置、エレベータ管理装置、エレベータ管理システム、エレベータ管理方法およびプログラムを提供する。【解決手段】設備制御装置１は、空気調和機７および照明装置８を制御するための制御情報を記憶する制御情報記憶部１３１と、操作部１０５と、ユーザの操作部１０５に対する操作内容を示す操作情報を取得する操作情報取得部１１１と、制御情報記憶部１３１から、操作情報取得部１１１が取得した操作情報に応じた制御情報を取得して空気調和機７または照明装置８へ送信する制御情報送信部１１３と、操作情報に基づいて、エレベータを空気調和機７および照明装置８が設置された階床に呼び出す呼び出し情報を生成して送出する呼び出し情報生成部１１４と、を備える。【選択図】図４
2019182562.tif 000002
【特許請求の範囲】
【請求項１】
エレベータが設置された複数の階床を有する建物に設けられた少なくとも１つの環境設備を制御するとともに、制御対象である環境設備が設置された区域が存在する階床へ前記エレベータの乗りかごを呼び出す機能を有する設備制御装置であって、
前記制御対象である環境設備を制御するための制御情報を記憶する制御情報記憶部と、
操作部と、
利用者の前記操作部に対する操作内容を示す操作情報を取得する操作情報取得部と、
前記制御情報記憶部から、前記操作情報取得部が取得した前記操作情報に応じた制御情報を取得して前記環境設備へ送信する制御情報送信部と、
前記操作情報に基づいて、前記エレベータを前記環境設備が設置された階床に呼び出す呼び出し情報を生成して送出する呼び出し情報生成部と、を備える、
設備制御装置。
【請求項２】
前記操作情報が前記環境設備を停止させるための停止操作を示すか否かを判定する操作内容判定部を更に備え、
前記呼び出し情報生成部は、前記操作内容判定部により前記操作情報が停止操作を示すと判定されると、前記呼び出し情報を生成して送出する、
請求項１に記載の設備制御装置。
【請求項３】
表示部と、
前記環境設備を制御する環境設備制御モードおよび前記エレベータを前記環境設備が設置された階床へ呼び出す機能を発揮する呼び出しモードそれぞれに対応する操作画面を示す操作画面情報を記憶する操作画面情報記憶部と、
前記操作情報に基づいて、前記操作画面情報記憶部から操作画面情報を選択して前記表示部に表示させる操作画面表示部と、を更に備え、
前記呼び出し情報生成部は、前記操作情報取得部が、前記操作画面表示部により前記表示部に前記呼び出しモードに対応する操作画面が表示された状態で取得した操作情報に基づいて、前記呼び出し情報を生成して送出する、
請求項１に記載の設備制御装置。
【請求項４】
前記操作情報が前記環境設備を停止させるための停止操作を示すか否かを判定する操作内容判定部を更に備え、
前記操作画面表示部は、前記操作内容判定部により前記操作情報が停止操作を示すと判定されると、前記操作画面情報記憶部から前記呼び出しモードに対応する操作画面を示す操作画面情報を選択して前記表示部に表示させる、
請求項３に記載の設備制御装置。
【請求項５】
前記呼び出し情報は、利用者が、前記設備制御装置が設置された階床よりも上層の階床と下層の階床とのいずれへ移動するかを示す移動方向情報を更に含む、
請求項３または請求項４に記載の設備制御装置。
【請求項６】
エレベータが設置された複数の階床を有する建物に設けられた少なくとも１つの環境設備を制御するとともに、制御対象である環境設備が設置された区域が存在する階床へ前記エレベータの乗りかごを呼び出す機能を有する設備制御装置から送出される呼び出し情報に基づいて、前記エレベータの利用者に関する利用者情報を生成する利用者情報生成装置であって、
複数の設備制御装置それぞれが設置された区域と前記エレベータの乗り場との間の距離を示す距離情報および複数の設備制御装置それぞれが設置された区域が存在する階床を示す階床情報を、前記複数の設備制御装置それぞれの装置識別情報と対応づけて記憶するレイアウト情報記憶部と、
前記設備制御装置から前記呼び出し情報を取得し、前記レイアウト情報記憶部から、取得した前記呼び出し情報に含まれる装置識別情報に対応する距離情報を取得する距離情報取得部と、
前記距離情報取得部が取得した距離情報に基づいて、利用者が、前記設備制御装置が設置された区域から前記エレベータの乗り場まで移動するのに要する所要時間を算出する所要時間算出部と、
前記装置識別情報と前記所要時間を示す所要時間情報とを含む利用者情報を生成する利用者情報生成部と、を備える、
利用者情報生成装置。
【請求項７】
前記呼び出し情報は、利用者が、前記設備制御装置が設置された階床よりも上層の階床と下層の階床とのいずれへ移動するかを示す移動方向情報を更に含み、
前記利用者情報生成部は、前記移動方向情報を含む利用者情報を生成する、
請求項６に記載の利用者情報生成装置。
【請求項８】
前記利用者情報生成部は、前記呼び出し情報が利用者により指定された前記設備制御装置が設置された区域が存在する階床への前記乗りかごの到着時刻を反映する呼び出し時刻情報を含む場合、前記呼び出し時刻情報に基づいて設定される所要時間を示す所要時間情報を含む利用者情報を生成する、
請求項６または請求項７に記載の利用者情報生成装置。
【請求項９】
設備制御装置を識別する装置識別情報を含み、前記設備制御装置から送出される呼び出し情報に基づいて生成されるエレベータの利用者に関する利用者情報を用いて、前記エレベータの割当て計画を決定するエレベータ管理装置であって、
前記エレベータの乗りかごの位置を示す乗りかご位置情報を取得する位置情報取得部と、
前記利用者情報に含まれる前記装置識別情報に対応する階床情報と前記乗りかご位置情報とに基づいて、前記エレベータの割当て計画を決定する決定部と、を備える、
エレベータ管理装置。
【請求項１０】
前記利用者情報は、前記設備制御装置が設置された区域から前記エレベータの乗り場まで利用者が移動するのに要する所要時間を示す所要時間情報を含み、
前記決定部は、前記所要時間情報と前記階床情報と前記乗りかご位置情報とに基づいて、前記エレベータの割当て計画を決定する、
請求項９に記載のエレベータ管理装置。
【請求項１１】
前記利用者情報を前記利用者情報が発生した発生時刻を示す発生時刻情報と対応づけて記憶する利用者情報記憶部と、
前記所要時間情報が示す所要時間と前記発生時刻情報が示す発生時刻と現在時刻とから前記利用者情報に対応する残り所要時間を算出する残り所要時間算出部と、を更に備え、
前記決定部は、前記残り所要時間に基づいて、前記エレベータの割当て計画を決定する、
請求項１０に記載のエレベータ管理装置。
【請求項１２】
前記エレベータは、複数存在し、
前記設備制御装置が設置された区域の収容人数を示す収容人数情報を、前記装置識別情報と対応づけて記憶する収容人数情報記憶部と、
前記利用者情報に含まれる前記装置識別情報に対応する前記収容人数情報が示す収容人数に基づいて、前記エレベータの必要台数を算出する必要台数算出部と、を更に備え、
前記決定部は、前記必要台数に基づいて、前記エレベータの割当て計画を決定する、
請求項９から１１のいずれか１項に記載のエレベータ管理装置。
【請求項１３】
前記必要台数算出部は、前記利用者情報が前記人数情報を含む場合、前記人数情報が示す人数に基づいて、前記必要台数を算出する、
請求項１２に記載のエレベータ管理装置。
【請求項１４】
前記利用者情報に含まれる設備識別情報が予め特定された特定区域に設置された設備制御装置に付与された特定装置識別情報であるか否かを判定する特定識別情報判定部を更に備え、
前記決定部は、前記特定識別情報判定部により前記利用者情報に含まれる設備識別情報が前記特定装置識別情報に一致すると判定されると、前記利用者情報に対応する利用者へ優先的に前記エレベータが割当てられるように前記エレベータの割当て計画を決定する、
請求項９から１３のいずれか１項に記載のエレベータ管理装置。
【請求項１５】
エレベータが設置された複数の階床を有する建物に設けられ、前記複数の階床に設置された環境設備のうちの少なくとも１つを制御するとともに、制御対象である環境設備が設置された階床へ前記エレベータの乗りかごを呼び出す機能を有する設備制御装置と、前記設備制御装置から送出される呼び出し情報に基づいて、前記エレベータの利用者に関する利用者情報を生成する利用者情報生成装置と、前記利用者情報を用いて前記エレベータの割当て計画を決定するエレベータ管理装置と、を備えるエレベータ管理システムであって、
前記設備制御装置は、
前記制御対象である環境設備を制御するための制御情報を記憶する制御情報記憶部と、
操作部と、
利用者の前記操作部に対する操作内容を示す操作情報を取得する操作情報取得部と、
前記制御情報記憶部から、前記操作情報取得部が取得した前記操作情報に応じた制御情報を取得して前記環境設備へ送信する制御情報送信部と、
前記操作情報に基づいて、前記エレベータの乗りかごを前記環境設備が設置された階床に呼び出す呼び出し情報を生成して送出する呼び出し情報生成部と、を有し、
前記利用者情報生成装置は、
複数の設備制御装置それぞれが設置された区域と前記エレベータの乗り場との間の距離を示す距離情報および複数の設備制御装置それぞれが設置された区域が存在する階床を示す階床情報を、前記複数の設備制御装置それぞれの装置識別情報と対応づけて記憶するレイアウト情報記憶部と、
前記設備制御装置から前記呼び出し情報を取得し、前記レイアウト情報記憶部から、取得した前記呼び出し情報に含まれる装置識別情報に対応する距離情報を取得する距離情報取得部と、
前記距離情報取得部が取得した距離情報に基づいて、利用者が、前記設備制御装置が設置された区域から前記エレベータの乗り場まで移動するのに要する所要時間を算出する所要時間算出部と、
前記装置識別情報と前記所要時間を示す所要時間情報とを含む前記利用者情報を生成する利用者情報生成部と、を有し、
前記エレベータ管理装置は、
前記乗りかごの位置を示す乗りかご位置情報を取得する位置情報取得部と、
前記利用者情報に含まれる前記装置識別情報に対応する階床情報と前記乗りかご位置情報とに基づいて、前記エレベータの割当て計画を決定する決定部と、を有する、
エレベータ管理システム。
【請求項１６】
エレベータが設置された複数の階床を有する建物に設けられ、前記複数の階床に設置された環境設備のうちの少なくとも１つを制御するとともに、制御対象である環境設備が設置された階床へ前記エレベータを呼び出す機能を有する設備制御装置と、前記設備制御装置から送出される呼び出し情報に基づいて、前記エレベータの利用者に関する利用者情報を生成する利用者情報生成装置と、前記利用者情報を用いて前記エレベータの割当て計画を決定するエレベータ管理装置と、を備えるエレベータ管理システムによるエレベータ管理方法であって、
利用者の前記設備制御装置の操作部に対する操作内容を示す操作情報を取得するステップと、
前記環境設備を制御するための制御情報を記憶する制御情報記憶部から、取得した前記操作情報に応じた制御情報を取得して前記環境設備へ送信するステップと、
前記操作情報に基づいて、前記エレベータの乗りかごを前記環境設備が設置された階床に呼び出す呼び出し情報を生成して送出するステップ、
前記設備制御装置から送出される前記呼び出し情報を取得し、前記設備制御装置が設置された区域と前記エレベータの乗り場との間の距離を示す距離情報を、前記設備制御装置を識別する装置識別情報と対応づけて記憶するレイアウト情報記憶部から、取得した前記呼び出し情報に含まれる装置識別情報に対応する距離情報を取得するステップと、
取得した距離情報に基づいて、前記設備制御装置が設置された区域から前記エレベータの乗り場まで利用者が移動するのに要する所要時間を算出するステップと、
前記装置識別情報に対応する階床情報と前記所要時間を示す所要時間情報とを含む前記利用者情報を生成するステップと、
前記乗りかごの位置を示す乗りかご位置情報を取得するステップと、
前記利用者情報に含まれる装置識別情報に対応する階床情報と前記乗りかご位置情報とに基づいて、前記エレベータの割当て計画を決定するステップと、を含む、
エレベータ管理方法。
【請求項１７】
コンピュータを、
利用者の操作部に対する操作内容を示す操作情報を取得する操作情報取得部、
エレベータが設置された複数の階床を有する建物に設置された環境設備を制御するための制御情報を記憶する制御情報記憶部から、前記操作情報取得部が取得した前記操作情報に応じた制御情報を取得して前記環境設備へ送信する制御情報送信部、
前記操作情報に基づいて、前記エレベータを制御対象である前記環境設備が設置された区域が存在する階床に呼び出す呼び出し情報を生成して送出する呼び出し情報生成部、
として機能させるプログラム。
【請求項１８】
コンピュータを、
エレベータが設置された複数の階床を有する建物における、複数の設備制御装置それぞれが設置された区域と前記エレベータの乗り場との間の距離を示す距離情報および複数の設備制御装置それぞれが設置された区域が存在する階床を示す階床情報を、前記複数の設備制御装置それぞれの装置識別情報と対応づけて記憶するレイアウト情報記憶部、
前記設備制御装置から前記設備制御装置の装置識別情報を含む呼び出し情報を取得し、前記レイアウト情報記憶部から、取得した前記呼び出し情報に含まれる装置識別情報に対応する距離情報を取得する距離情報取得部、
前記距離情報取得部が取得した距離情報に基づいて、前記設備制御装置が設置された区域から前記エレベータの乗り場まで利用者が移動するのに要する所要時間を算出する所要時間算出部、
前記装置識別情報と前記所要時間を示す所要時間情報とを含む利用者情報を生成する利用者情報生成部、
として機能させるプログラム。
【請求項１９】
コンピュータを、
エレベータの乗りかごの位置を示す乗りかご位置情報を取得する位置情報取得部、
設備制御装置から送出される呼び出し情報に基づいて生成されるエレベータの利用者に関する利用者情報に含まれる装置識別情報に対応する階床情報と前記乗りかご位置情報とに基づいて、前記エレベータの割当て計画を決定する決定部、
として機能させるためのプログラム。
【発明の詳細な説明】
【技術分野】
【０００１】
本発明は、設備制御装置、利用者情報生成装置、エレベータ管理装置、エレベータ管理システム、エレベータ管理方法およびプログラムに関する。
【背景技術】
【０００２】
ビルの在館者の所有する通信機、携帯電話機等との通信信号を利用したり、ビルに設置されたカメラ画像の解析結果または各居室のドア付近に備えられる入退出管理システムの情報を利用したりして在館者の位置を把握し、把握した位置から在館者がエレベータ乗り場まで移動する移動時間を推定し、推定した移動時間に基づいてエレベータを運転することにより、エレベータの利用効率の向上並びに在館者の待ち時間短縮を図るエレベータの群管理制御装置が提案されている（例えば特許文献１参照）。このエレベータの群管理制御装置では、在館者の位置の情報またはその変化情報を用いて、在館者それぞれの移動内容がエレベータ乗り場への移動か否かを推定する。
【先行技術文献】
【特許文献】
【０００３】
【特許文献１】特開２００５−２３１８８１号公報
【発明の概要】
【発明が解決しようとする課題】
【０００４】
しかしながら、特許文献１に記載されたエレベータの群管理装置では、在館者の移動内容がエレベータ乗り場への移動であるか否かを推定するために、ビル内の多くの箇所に在館者の所有する通信機、携帯電話機等の通信信号を受信する受信設備を設置したり、カメラ画像の解析または入退出管理システムの情報を管理するための解析装置を設置したりする必要がある。このため、エレベータの群管理装置の導入には膨大な手間を要する虞がある。また、在館者の位置の情報およびその変化情報から在館者が実際にエレベータ乗り場へ移動してエレベータに乗る意思があるのか否かを判定することが困難であり、エレベータを無駄に移動させてしまう虞がある。
【０００５】
本発明は、上記事由に鑑みてなされたものであり、導入負担の軽減が図られるとともにエレベータを無駄に移動させることが抑制される設備制御装置、利用者情報生成装置、エレベータ管理装置、エレベータ管理システム、エレベータ管理方法およびプログラムを提供することを目的とする。
【課題を解決するための手段】
【０００６】
上記目的を達成するために、本発明に係る設備制御装置は、
エレベータが設置された複数の階床を有する建物に設けられた少なくとも１つの環境設備を制御するとともに、制御対象である環境設備が設置された区域が存在する階床へ前記エレベータの乗りかごを呼び出す機能を有する設備制御装置であって、
前記制御対象である環境設備を制御するための制御情報を記憶する制御情報記憶部と、
操作部と、
利用者の前記操作部に対する操作内容を示す操作情報を取得する操作情報取得部と、
前記制御情報記憶部から、前記操作情報取得部が取得した前記操作情報に応じた制御情報を取得して前記環境設備へ送信する制御情報送信部と、
前記操作情報に基づいて、前記エレベータを前記環境設備が設置された階床に呼び出す呼び出し情報を生成して送出する呼び出し情報生成部と、を備える。
【発明の効果】
【０００７】
本発明によれば、制御情報送信部が、操作取得部が取得した操作情報に応じた制御情報を取得して環境設備へ送信するとともに、呼び出し情報生成部が、操作情報に基づいて、乗りかごを環境設備が設置された階床に呼び出す呼び出し情報を生成して送出する。これにより、１つの設備制御装置を設置するだけで環境設備の制御とともにその環境設備が設置された階床への乗りかごの呼び出しを行うことが可能となるので、導入負担が軽減される。また、呼び出し情報生成部が、利用者による環境設備を制御するための操作内容を示す操作情報に基づいて、呼び出し情報を生成して送出する。これにより、例えば環境設備を停止させることを示す操作情報を取得した場合に呼び出し情報を生成するようにすれば、利用者がエレベータの乗り場へ移動する蓋然性の高いときに乗りかごがその環境設備が設置された階床へ呼び出されることになる。従って、乗りかごを無駄に移動させてしまうことが抑制される。
【図面の簡単な説明】
【０００８】
【図１】本発明の実施の形態に係るエレベータ管理システムの構成を示す概略斜視図
【図２】実施の形態に係るエレベータ管理システムのハードウェア構成を示すブロック図
【図３】実施の形態に係る設備制御装置の一例を示す図
【図４】実施の形態に係るエレベータ管理システムの一部の機能構成を示すブロック図
【図５】（Ａ）は距離情報の定義の一例を説明するための図、（Ｂ）は実施の形態に係るレイアウト情報記憶部の内容の一例を示す図
【図６】実施の形態に係るエレベータ管理装置の機能構成を示すブロック図
【図７】（Ａ）は実施の形態に係る利用者情報記憶部の内容の一例を示す図、（Ｂ）は実施の形態に係る階床情報記憶部の内容の一例を示す図
【図８】実施の形態に係る割当て計画情報記憶部の内容の一例を示す図
【図９】実施の形態に係るエレベータ管理システムの動作を示すシーケンス図
【図１０】実施の形態に係るエレベータ管理システムの動作を示すシーケンス図
【図１１】実施の形態に係る設備制御装置が実行する設備制御処理の流れの一例を示すフローチャート
【図１２】実施の形態に係る利用者情報生成装置が実行する利用者情報生成処理の流れの一例を示すフローチャート
【図１３】実施の形態に係るエレベータ管理装置が実行するエレベータ管理処理の流れの一例を示すフローチャート
【図１４】（Ａ）は本発明の変形例に係る設備制御装置が空気調和機制御モードの場合に表示部に表示される画面の一例を示す図、（Ｂ）は実施の形態２に係る設備制御装置が呼び出しモードの場合に表示部に表示される画面の一例を示す図
【図１５】変形例に係る設備制御装置が実行する設備制御処理の流れの一例を示すフローチャート
【図１６】変形例に係る設備制御装置の機能構成を示すブロック図
【図１７】変形例に係る設備制御装置が呼び出しモードの場合に表示部に表示される画面の一例を示す図
【図１８】変形例に係る利用者情報生成装置が実行する利用者情報生成処理の流れの一例を示すフローチャート
【図１９】変形例に係る設備制御装置が実行する設備制御処理の流れの一例を示すフローチャート
【図２０】変形例に係るエレベータ管理装置の機能構成を示すブロック図
【図２１】変形例に係るエレベータ管理装置の機能構成を示すブロック図
【図２２】変形例に係る設備制御装置が呼び出しモードの場合に表示部に表示される画面の一例を示す図
【図２３】変形例に係るエレベータ管理装置が実行するエレベータ管理処理の流れの一例を示すフローチャート
【図２４】変形例に係るエレベータ管理装置が実行するエレベータ管理処理の流れの一例を示すフローチャート
【図２５】変形例に係るエレベータ管理装置の機能構成を示すブロック図
【図２６】変形例に係るエレベータ管理装置が実行するエレベータ管理処理の流れの一例を示すフローチャート
【図２７】変形例に係るエレベータ管理装置が実行するエレベータ管理処理の流れの一例を示すフローチャート
【発明を実施するための形態】
【０００９】
以下、本発明の実施の形態に係るエレベータ管理システムについて、添付図面を参照しながら説明する。本実施の形態に係るエレベータ管理システムは、エレベータが設置された複数の階床を有する建物に設置された環境設備を制御する設備制御装置と、利用者情報生成装置と、複数台のエレベータを管理するエレベータ管理装置と、を備える。設備制御装置は、操作部を有し、利用者の操作部に対する操作内容を示す操作情報に応じて制御情報を環境設備へ送信するとともに、操作情報に基づいて乗りかごを環境設備が設置された階床に呼び出す呼び出し情報を生成して送出する。利用者情報生成装置は、設備制御装置から送出される設備制御装置を識別する装置識別情報を含む呼び出し情報に基づいて、エレベータの利用者に関する利用者情報を生成する。この利用者情報は、設備制御装置が設置された区域が存在する階床を示す階床情報と、利用者が、設備制御装置が設置された区域からエレベータの乗り場まで移動するのに要する所要時間を示す所要時間情報と、を含む。エレベータ管理装置は、利用者情報と乗りかごの位置を示す乗りかご位置情報とを用いてエレベータの割当て計画を決定する。
【００１０】
本実施の形態に係るエレベータ管理システムは、図１に示すように、複数の階床を有し３つのエレベータ６Ａ、６Ｂ、６Ｃが設置された建物ＢＵに設けられる。エレベータ管理システムは、設備制御装置１と利用者情報生成装置２とエレベータ管理装置３とを備える。設備制御装置１は、各階床の複数（図１では３つ）の区域である居室Ｒ２０１、２０２、・・・、Ｒ５０３それぞれに設置され、利用者Ｕによる操作内容に応じて各居室Ｒ２０１、２０２、・・・、Ｒ５０３に設置された環境設備である空気調和機７および照明装置８を制御する。また、建物ＢＵの最上階の機械室ＲＭには、エレベータ６Ａ、６Ｂ、６Ｃの乗りかご６１Ａ、６１Ｂ、６１Ｃを鉛直方向に沿って駆動する３つの駆動装置６３Ａ、６３Ｂ、６３Ｃと、３つの駆動装置６３Ａ、６３Ｂ、６３Ｃの動作を管理するエレベータ管理装置３と、が設置されている。各駆動装置６３Ａ、６３Ｂ、６３Ｃは、乗りかご６１Ａ、６１Ｂ、６１Ｃに接続されたワイヤ６２Ａ、６２Ｂ、６２Ｃを巻き上げることにより、乗りかご６１Ａ、６１Ｂ、６１Ｃを移動させる。また、建物ＢＵの各階床におけるエレベータの扉の近傍には、乗りかご６１Ａ、６１Ｂ、６１Ｃを各階床へ呼び出すための呼び出し釦５が設置されている。
【００１１】
図２は、実施の形態に係るエレベータ管理システムのハードウェア構成を示すブロック図である。図２において、空気調和機７は、冷媒を圧縮する圧縮機７３と、圧縮機７３を駆動する駆動部７５と、送風ファン７４と、送風ファン７４を駆動する駆動部７６と、駆動部７５、７６を制御する空気調和機制御部７１と、設備制御装置１と通信する設備通信部７２と、を有する。駆動部７５は、インバータ回路（図示せず）、インバータ制御回路（図示せず）等を有し、空気調和機制御部７１から入力される制御信号に応じた回転数で圧縮機７３を駆動する。駆動部７６もインバータ回路（図示せず）、インバータ制御回路（図示せず）等を有し、空気調和機制御部７１から入力される制御信号に応じた回転数で送風ファン７４を駆動する。照明装置８は、例えばＬＥＤ（Light Emitting Diode）素子を利用した光源８３と、光源８３を点灯させる点灯回路（図示せず）を有する照明制御部８１と、設備制御装置１と通信する設備通信部８２と、を有する。
【００１２】
設備制御装置１は、例えば建物の複数の居室それぞれに設置される。設備制御装置１は、各居室に設置された空気調和機７と照明装置８とを制御するとともに、制御対象である空気調和機７と照明装置８とが設置された居室が存在する階床へエレベータの乗りかご６１を呼び出す機能を有する。設備制御装置１は、空気調和機７を制御する空気調和機制御モードと、照明装置８を制御する照明装置制御モードと、のいずれかで動作する。空気調和機制御モードと照明装置制御モードとは、環境設備である空気調和機７または照明装置８を制御する環境設備制御モードに相当する。設備制御装置１は、ＣＰＵ（Central Processing Unit）１０１と、主記憶部１０２と、補助記憶部１０３と、操作部１０５と、表示部１０７と、ネットワーク通信部１０６と、これらを相互に接続するバス１０９と、を有する。主記憶部１０２は、揮発性メモリであり、ＣＰＵ１０１の作業領域として用いられる。補助記憶部１０３は、磁気ディスク、半導体フラッシュメモリ等の不揮発性メモリであり、設備制御装置１の各種機能を実現するためのプログラムを記憶する。表示部１０７は、例えば液晶ディスプレイであり、空気調和機７または照明装置８の操作画面を表示する。操作部１０５は、例えば釦スイッチであり、ユーザにより操作される。ネットワーク通信部１０６は、無線モジュールまたは有線通信インタフェースであり、ネットワークＮＴを介して、利用者情報生成装置２、エレベータ管理装置３との間で無線または有線で通信する。設備制御装置１は、例えば図３に示すように、矩形箱状であり平面視矩形状の窓部１ｂが設けられた筐体１ａと、筐体１ａの一面に設けられた操作釦ＭＢＴ、ＣＢＴおよび電源ボタン１ｃと、を備える。そして、窓部１ｂからは、表示部１０７の操作画面１０７ａが露出している。
【００１３】
ＣＰＵ１０１は、補助記憶部１０３が記憶するプログラムを主記憶部１０２に読み出して実行することにより、図４に示すように、操作情報取得部１１１、操作内容判定部１１２、制御情報送信部１１３、呼び出し情報生成部１１４および操作画面表示部１１５として機能する。補助記憶部１０３は、空気調和機７および照明装置８それぞれの制御内容を示す制御情報を記憶する制御情報記憶部１３１と、設備制御装置１を識別する固有の装置識別情報を記憶する装置識別情報記憶部１３２と、操作画面情報記憶部１３３と、ステータス情報記憶部１３５と、を有する。操作画面情報記憶部１３３は、設備制御装置１の動作モードである空気調和機制御モードおよび照明装置制御モードそれぞれに対応する操作画面を示す操作画面情報を記憶する。ステータス情報記憶部１３５は、空気調和機７および照明装置８の動作状態を示すステータス情報を記憶する。具体的には、ステータス情報記憶部１３５は、空気調和機７が動作中か停止中かを示す第１フラグ情報と、照明装置８が動作中か停止中かを示す第２フラグ情報と、を記憶する。
【００１４】
操作情報取得部１１１は、利用者Ｕの操作部に対する操作内容を示す操作情報を取得する。操作画面表示部１１５は、操作情報に基づいて、操作画面情報記憶部１３３から操作画面情報を取得して表示部１０７に表示させる。具体的には、操作画面表示部１１５は、設備制御装置１が空気調和機制御モードで動作中に、操作内容判定部１１２によりモード選択釦が選択されたと判定されると、照明装置制御モードに対応する操作画面情報を操作画面情報記憶部１３３から取得して表示部１０７に表示させる。
【００１５】
制御情報送信部１１３は、制御情報記憶部１３１から、操作情報取得部１１１が取得した操作情報に応じた制御情報を取得して、ネットワーク通信部１０６およびネットワークＮＴを介して空気調和機７または照明装置８へ送信する。また、制御情報送信部１１３は、空気調和機７へ動作開始を指令する開始指令情報を送信した場合、ステータス情報記憶部１３５が記憶する第１フラグ情報の内容を動作中に更新する。一方、制御情報送信部１１３は、空気調和機７の動作を開始させた後、空気調和機７へ動作停止を指令する停止指令情報を送信した場合、ステータス情報記憶部１３５が記憶する第１フラグ情報の内容を停止中に更新する。更に、制御情報送信部１１３は、照明装置８へ動作開始を指令する開始指令情報を送信した場合、ステータス情報記憶部１３５が記憶する第２フラグ情報の内容を動作中に更新する。一方、制御情報送信部１１３は、照明装置８の動作を開始させた後、照明装置８へ動作停止を指令する停止指令情報を送信した場合、ステータス情報記憶部１３５が記憶する第２フラグ情報の内容を停止中に更新する。
【００１６】
操作内容判定部１１２は、操作情報取得部１１１が取得した操作情報が、空気調和機７および照明装置８の両方を停止させるための停止操作を示すか否かを判定する。また、操作内容判定部１１２は、モード切替釦が選択されたか否かを判定する。
【００１７】
呼び出し情報生成部１１４は、操作情報取得部１１１が取得した操作情報に基づいて、エレベータの乗りかご６１を、設備制御装置１の制御対象である空気調和機７または照明装置８が設置された居室が存在する階床に呼び出す呼び出し情報を生成する。呼び出し情報生成部１１４は、操作内容判定部１１２により前述の操作情報が停止操作を示すと判定されると、装置識別情報記憶部１３２から設備制御装置１の装置識別情報を取得する。そして、呼び出し情報生成部１１４は、取得した装置識別情報を含む呼び出し情報を生成して利用者情報生成装置２へ送出する。
【００１８】
図２に戻って、利用者情報生成装置２は、設備制御装置１から送出される装置識別情報を含む呼び出し情報に基づいて、設備制御装置１が設置された居室が存在する階床を示す階床情報を含むエレベータの利用者に関する利用者情報を生成する。この利用者情報は、設備制御装置１から送出される呼び出し情報に基づいて生成され、設備制御装置１が設置された居室が存在する階床を示す階床情報を含む。利用者情報生成装置２は、ＣＰＵ２０１と、主記憶部２０２と、補助記憶部２０３と、ネットワーク通信部２０６と、これらを相互に接続するバス２０９と、を有する。主記憶部２０２は、揮発性メモリであり、ＣＰＵ２０１の作業領域として用いられる。補助記憶部２０３は、磁気ディスク、半導体フラッシュメモリ等の不揮発性メモリであり、利用者情報生成装置２の各種機能を実現するためのプログラムを記憶する。ネットワーク通信部２０６は、無線モジュールまたは有線通信インタフェースであり、ネットワークＮＴを介して、設備制御装置１、エレベータ管理装置３との間で無線または有線で通信する。
【００１９】
ＣＰＵ２０１は、補助記憶部２０３が記憶するプログラムを主記憶部２０２に読み出して実行することにより、図４に示すように、呼び出し情報受信部２１１、距離情報取得部２１２、所要時間算出部２１３および利用者情報生成部２１４として機能する。補助記憶部２０３は、レイアウト情報記憶部２３１と移動速度情報記憶部２３２とを有する。レイアウト情報記憶部２３１は、例えば図５（Ａ）に示すように、距離情報を、複数の設備制御装置１それぞれの装置識別情報と対応づけて記憶する。距離情報は、複数の設備制御装置１それぞれが設置された居室とエレベータの乗り場との間の距離を示す。距離情報は、例えば図５（Ｂ）に示すように、建物ＢＵの４階の居室Ｒ４０１の扉Ｄの中央部の位置Ｐ１から廊下Ａ１とエレベータ乗り場ＥＨとの境界線ＢＤ１との間の距離を示す。
【００２０】
図４に戻って、移動速度情報記憶部２３２は、利用者Ｕの移動速度を示す移動速度情報を記憶する。移動速度は、予め設定されており、例えば一般的な人の平均的な歩行速度に設定されている。なお、移動速度情報記憶部２３２が記憶する移動速度情報は、例えば建物ＢＵの管理者が適宜設定することができるものであってもよい。
【００２１】
呼び出し情報受信部２１１は、設備制御装置１から送出された呼び出し情報を、ネットワークＮＴおよびネットワーク通信部２０６を介して受信する。距離情報取得部２１２は、設備制御装置１から送出された呼び出し情報を取得し、レイアウト情報記憶部２３１から、取得した呼び出し情報に含まれる装置識別情報に対応する距離情報を取得する。
【００２２】
所要時間算出部２１３は、距離情報取得部２１２が取得した距離情報に基づいて、利用者が、設備制御装置１が設置された居室からエレベータの乗り場ＥＨまで移動するのに要する所要時間を算出する。具体的には、所要時間算出部２１３は、移動速度情報記憶部２３２から移動速度情報を取得し、距離情報が示す距離を、取得した移動速度情報が示す移動速度で除することにより、所要時間を算出する。
【００２３】
利用者情報生成部２１４は、レイアウト情報記憶部２３１から、取得した呼び出し情報に含まれる装置識別情報に対応する階床情報を取得する。そして、利用者情報生成部２１４は、取得した階床情報と所要時間算出部２１３が算出した所要時間を示す所要時間情報とを含む利用者情報を生成する。また、利用者情報生成部２１４は、生成した利用者情報を、ネットワーク通信部２０６およびネットワークＮＴを介してエレベータ管理装置３へ送信する。
【００２４】
図２に戻って、エレベータ管理装置３は、エレベータ６Ａ、６Ｂ、６Ｃの利用者に関する利用者情報を用いてエレベータ６Ａ、６Ｂ、６Ｃの割当て計画を決定する。エレベータ管理装置３は、ＣＰＵ３０１と、主記憶部３０２と、補助記憶部３０３と、インタフェース３０４、３０５と、ネットワーク通信部３０６と、これらを相互に接続するバス３０９と、を有する。主記憶部３０２は、ＣＰＵ３０１の作業領域として用いられる。補助記憶部３０３は、エレベータ管理装置３の各種機能を実現するためのプログラムを記憶する。ネットワーク通信部３０６は、ネットワークＮＴを介して、設備制御装置１、利用者情報生成装置２との間で通信する。インタフェース３０４は、ＣＰＵ３０１から入力される駆動装置６３Ａ、６３Ｂ、６３Ｃの制御情報を制御信号に変換して各駆動装置６３Ａ、６３Ｂ、６３Ｃへ出力する。インタフェース３０５は、複数の呼び出し釦５それぞれに一対一で対応するポート（図示せず）を有する。そして、インタフェース３０５は、呼び出し釦５から呼び出し釦押下信号が入力されたポートのポート識別情報に基づいて、押下された呼び出し釦５が設置された階床を示す階床情報を含む呼び出し釦押下情報を生成する。インタフェース３０５は、生成した呼び出し釦押下情報をＣＰＵ３０１へ出力する。
【００２５】
ＣＰＵ３０１は、補助記憶部３０３が記憶するプログラムを主記憶部３０２に読み出して実行することにより、図６に示すように、呼び出し釦押下情報取得部３１１、利用者情報受信部３１２、計時部３１３、判定部３１４、残り所要時間算出部３１５、決定部３１６、指令情報生成部３１７および位置情報取得部３１８として機能する。補助記憶部３０３は、利用者情報記憶部３３１と、割当て計画情報記憶部３３３と、階床情報記憶部３３４と、を有する。
【００２６】
利用者情報記憶部３３１は、例えば図７（Ａ）に示すように、各設備制御装置１に対応する所要時間情報とその所要時間情報を含む利用者情報が発生した発生時刻を示す発生時刻情報とを、対応する設備制御装置１の装置識別情報に対応づけて記憶する。
【００２７】
階床情報記憶部３３４は、例えば図７（Ｂ）に示すように、各階床情報と、各階床情報が示す階床に存在する居室に設置された装置識別情報およびエレベータ乗り場ＥＨに設置された呼び出し釦５の装置識別情報と、を対応づけて記憶する。例えば図７（Ｂ）の階床情報「４」と、階床情報「４」が示す４階に存在する居室Ｒ４０１、Ｒ４０２、Ｒ４０３に設置された装置識別情報ＩＤＱ４１、ＩＤＱ４２、ＩＤＱ４３および呼び出し釦５の装置識別情報ＩＤＱ４０と、が対応づけて記憶されている。
【００２８】
割当て計画情報記憶部３３３は、例えば図８に示すように、各設備制御装置１に対応する利用者に割り当てるエレベータのエレベータ識別情報と、その利用者にエレベータを割り当てる優先順位を示す優先順位情報とを、装置識別情報に対応づけて記憶する。優先順位情報は、例えば図８におけるエレベータ識別情報「ＩＤＥ１」が付与された乗りかご６１Ａのように、同じ時間帯に互いに異なる階床に存在する居室に設置された設備制御装置１から呼び出し情報が送出された場合、互いに異なる優先順位が設定される。また、割当て計画情報記憶部３３３は、利用者により押下された呼び出し釦５が設置されたエレベータ乗り場に割り当てるエレベータの乗りかご６１のエレベータ識別情報と、優先順位情報と、をその呼び出し釦５に付与された装置識別情報に対応づけて記憶する。例えば建物ＢＵの３階のエレベータ乗り場ＥＨに設置された呼び出し釦５が押下されたとする。この場合、図８に示すように、エレベータ６１Ｃが割り当てられるとき、割り当てるエレベータ識別情報「ＩＤＥ３」とその優先順位情報とが、呼び出し釦５の装置識別情報「ＩＤＱ３０」に対応づけて記憶される。
【００２９】
図６に戻って、位置情報取得部３１８は、インタフェース３０４から乗りかご６１Ａ、６１Ｂ、６１Ｃの位置を示す乗りかご位置情報を取得する。駆動装置６３Ａ、６３Ｂ、６３Ｃは、それぞれ例えばワイヤ６２Ａ、６２Ｂ、６２Ｃの巻き上げ量に基づいて、乗りかご位置信号を生成してエレベータ管理装置３へ出力する。そして、インタフェース３０４は、駆動装置６３Ａ、６３Ｂ、６３Ｃから乗りかご位置信号が入力されると、入力された乗りかご位置信号を乗りかご位置情報に変換してＣＰＵ３０１へ出力する。そして、位置情報取得部３１８は、インタフェース３０４から入力される乗りかご位置情報を取得する。
【００３０】
呼び出し釦押下情報取得部３１１は、インタフェース３０５から呼び出し釦５が押下されたことを示す呼び出し釦押下情報を取得する。そして、呼び出し釦押下情報取得部３１１は、計時部３１３から呼び出し釦押下情報が発生した時刻を示す発生時刻情報を取得し、呼び出し釦押下情報に含まれる装置識別情報とともに利用者情報記憶部３３１に記憶させる。ここで、呼び出し釦５の装置識別情報に対応する所要時間情報は、０［ｓｅｃ］に設定される。
【００３１】
利用者情報受信部３１２は、利用者情報生成装置２からネットワークＮＴおよびネットワーク通信部３０６を介して利用者情報を受信する。そして、利用者情報受信部３１２は、計時部３１３から利用者情報が発生した時刻を示す発生時刻情報を取得し、利用者情報に含まれる設備制御装置１の装置識別情報および所要時間情報とともに利用者識別情報記憶部２３１に記憶させる。
【００３２】
判定部３１４は、利用者情報記憶部３３１が記憶する利用者情報の数が１であるか否かを判定する。残り所要時間算出部３１５は、各利用者情報に対応する発生時刻情報が示す時刻と現在時刻とから各利用者情報に対応する残り所要時間を算出する。
【００３３】
決定部３１６は、利用者情報に含まれる装置識別情報に対応する階床情報と、前述の所要時間情報、残り所要時間情報および乗りかご位置情報と、に基づいて、エレベータ６Ａ、６Ｂ、６Ｃの割当て計画を決定する。具体的には、決定部３１６は、各設備制御装置１に対応する利用者に割り当てるエレベータ６Ａ、６Ｂ、６Ｃの乗りかご６１Ａ、６１Ｂ、６１Ｃと、各利用者への乗りかご６１Ａ、６１Ｂ、６１Ｃの割当ての優先順位と、を決定する。決定部３１６は、利用者情報に対応する設備制御装置１が設置された居室が存在する階床に最も近い階床に位置する乗りかご６１Ａ、６１Ｂ、６１Ｃがその利用者情報に対応する利用者に割り当てられるように割当てを決定する。また、決定部３１６は、残り所要時間が短い利用者へ優先的に乗りかご６１Ａ、６１Ｂ，６１Ｃが割り当てられるように優先順位を決定する。そして、決定部３１６は、各設備制御装置１に対応する利用者に割り当てた乗りかご６１Ａ、６１Ｂ、６１Ｃのエレベータ識別情報と決定した割当て計画を示す割当て計画情報とを、対応する設備制御装置１の装置識別情報と対応づけて割当て計画情報記憶部３３３に記憶させる。
【００３４】
指令情報生成部３１７は、割当て計画情報記憶部３３３が記憶する、各利用者に割り当てられる乗りかご６１Ａ、６１Ｂ、６１Ｃのエレベータ識別情報と、割当て順序情報と、に基づいて各駆動装置６３Ａ、６３Ｂ、６３Ｃへの指令内容を示す指令情報を生成する。そして、指令情報生成部３１７は、生成した指令情報をインタフェース３０４へ出力する。そうすると、インタフェース３０４は、入力される指令情報を指令信号に変換して各駆動装置６３Ａ、６３Ｂ、６３Ｃへ出力する。
【００３５】
次に、本実施の形態に係るエレベータ管理システムの動作について図９および図１０を参照しながら説明する。まず、利用者が設備制御装置１の操作部に対して操作を行うことにより、図９に示すように、設備制御装置１が操作情報を取得したとする（ステップＳ１）。そして、設備制御装置１が、操作情報の操作内容が空気調和機７および照明装置８を停止させるための停止操作であると判定したとする（ステップＳ２）。この場合、設備制御装置１は、自装置の装置識別情報を含む呼び出し情報を生成する（ステップＳ３）。次に、生成された呼び出し情報が、設備制御装置１から利用者情報生成装置２へ送信される（ステップＳ４）。
【００３６】
一方、利用者情報生成装置２は、設備制御装置１から呼び出し情報を受信すると、受信した呼び出し情報に含まれる装置識別情報に基づいて、設備制御装置１が設置された居室とエレベータ乗り場ＥＨとの間の距離を示す距離情報を取得する（ステップＳ５）。続いて、利用者情報生成装置２は、取得した距離情報と移動速度情報記憶部２３２が記憶する移動速度情報とから、利用者が居室からエレベータ乗り場ＥＨまで移動するのに要する所要時間を算出する（ステップＳ６）。その後、利用者情報生成装置２は、算出した所要時間を示す所要時間情報と装置識別情報とを含む利用者情報を生成する（ステップＳ７）。次に、生成された利用者情報が、利用者情報生成装置２からエレベータ管理装置３へ送信される（ステップＳ８）。
【００３７】
一方、エレベータ管理装置３は、利用者情報生成装置２から利用者情報を受信すると、受信した利用者情報と当該利用者情報が発生した時刻を示す時刻情報とを、利用者情報記憶部３３１に記憶させる（ステップＳ９）。続いて、エレベータ管理装置３は、受信した利用者情報が１つだけと判定すると（ステップＳ１０）、各乗りかご６１Ａ、６１Ｂ、６１Ｃの乗りかご位置情報に基づいて、エレベータ６Ａ、６Ｂ、６Ｃの割当て計画を決定する（ステップＳ１１）。ここで、エレベータ管理装置３は、乗りかご６１Ａ、６１Ｂ、６１Ｃのうち、利用者情報に対応する設備制御装置１が設置された居室が存在する階床に最も近い階床に位置する乗りかご６１Ａ、６１Ｂ、６１Ｃが割り当てられるように運行計画を決定する。その後、エレベータ管理装置３は、決定した運行計画に基づいて指令信号を生成して駆動装置６３Ａ、６３Ｂ、６３Ｃへ出力することにより、割り当てた乗りかご６１Ａ、６１Ｂ、６１Ｃを利用者情報に対応する設備制御装置１が設置された居室が存在する階床へ移動させる（ステップＳ１２）。
【００３８】
その後、エレベータ管理装置３は、駆動装置６３Ａ、６３Ｂ、６３Ｃから利用者の搬送が完了したことを通知する搬送完了通知信号が入力されると（ステップＳ１３）、その搬送完了通知信号に対応する利用者情報を特定する（ステップＳ１４）。この搬送完了通知信号は、利用者が乗りかご６１Ａ、６１Ｂ、６１Ｃに乗って目的の階床に到達してから乗りかご６１Ａ、６１Ｂ、６１Ｃの扉が開いたときに、駆動装置６３Ａ、６３Ｂ、６３Ｃからエレベータ管理装置３へ出力される。次に、エレベータ管理装置３は、特定した利用者情報を、利用者情報記憶部３３１から削除する（ステップＳ１５）。続いて、エレベータ管理装置３は、再度エレベータ６Ａ、６Ｂ、６Ｃの割当て計画を決定する（ステップＳ１６）。
【００３９】
また、複数の呼び出し情報が、複数の設備制御装置１それぞれから利用者情報生成装置２へ送信され、それらの複数の呼び出し情報に対応する複数の利用者情報が、利用者情報生成装置２からエレベータ管理装置３へ送信されていたとする。この場合、設備制御装置１において、前述のステップＳ１からＳ３までと同様の処理が実行されると、呼び出し情報が、設備制御装置１から利用者情報生成装置２へ送信される（ステップＳ１７）。その後、利用者情報生成装置２において、前述のステップＳ５からＳ７までと同様の処理が実行されると、利用者情報が、利用者情報生成装置２からエレベータ管理装置３へ送信される（ステップＳ１８）。
【００４０】
一方、エレベータ管理装置３は、利用者情報生成装置２から利用者情報を受信すると、受信した利用者情報と当該利用者情報が発生した時刻を示す時刻情報とを、利用者情報記憶部３３１に記憶させる（ステップＳ１９）。ここで、エレベータ管理装置３は、受信した利用者情報が複数存在すると判定すると（ステップＳ２０）、複数の利用者情報それぞれに対応する残り所要時間を算出する（ステップＳ２１）。
【００４１】
次に、エレベータ管理装置３は、乗りかご位置情報と複数の利用者情報それぞれに対応する残り所要時間とに基づいて、エレベータ６Ａ、６Ｂ、６Ｃそれぞれの割当て計画を決定する（ステップＳ２２）。ここで、エレベータ管理装置３は、利用者情報に対応する設備制御装置１が設置された居室が存在する階床に最も近い階床に位置する乗りかご６１Ａ、６１Ｂ、６１Ｃをその利用者情報に対応する階床へ移動させるようにエレベータ６Ａ、６Ｂ、６Ｃの割当てを決定する。また、エレベータ管理装置３は、残り所要時間またはエレベータ乗り場ＥＨへの到達時刻が最も早い利用者へ優先的にエレベータ６Ａ、６Ｂ，６Ｃが割り当てられるように割当て計画を決定する。その後、エレベータ管理装置３は、決定した割当て計画に基づいて指令信号を生成して各駆動装置６３Ａ、６３Ｂ、６３Ｃへ出力する（ステップＳ２３）。これにより、駆動装置６３Ａ、６３Ｂ、６３Ｃは、エレベータ管理装置３が決定した割当て計画に沿って、乗りかご６１Ａ、６１Ｂ、６１Ｃを移動させる。
【００４２】
その後、エレベータ管理装置３は、駆動装置６３Ａ、６３Ｂ、６３Ｃから搬送完了通知信号が入力されると（ステップＳ２４）、その扉閉通知信号に対応する乗りかご６１Ａ、６１Ｂ、６１Ｃの利用者に関する利用者情報を特定する（ステップＳ２５）。次に、エレベータ管理装置３は、特定した利用者情報を、利用者情報記憶部３３１から削除する（ステップＳ２６）。続いて、エレベータ管理装置３は、再度エレベータ６Ａ、６Ｂ、６Ｃの割当て計画を決定する（ステップＳ２７）。
【００４３】
次に、本実施の形態に係る設備制御装置１が実行する設備制御処理について図１１を参照しながら説明する。この設備制御処理は、例えば設備制御装置１へ電源が投入されたことを契機として開始される。
【００４４】
まず、操作情報取得部１１１は、操作部１０５から操作情報を取得したか否かを判定する（ステップＳ１０１）。ここで、操作情報取得部１１１は、利用者による操作部１０５を介した操作を受け付けると、操作情報を取得し、操作情報を取得したと判定する。操作情報取得部１１１は、操作情報を取得しない限り（ステップＳ１０１：Ｎｏ）、待機状態を維持する。一方、操作情報取得部１１１が、操作情報を取得すると（ステップＳ１０１：Ｙｅｓ）、操作内容判定部１１２は、操作情報がモード切替釦の選択を示しているか否かを判定する（ステップＳ１０２）。操作内容判定部１１２は、例えば利用者が図３の操作釦ＭＢＴを押下すると、モード切替釦が選択されたと判定する。一方、操作内容判定部１１２は、利用者が操作釦ＣＢＴまたは電源釦１ｃを押下すると、モード切替釦が選択されていないと判定する。
【００４５】
操作内容判定部１１２が、操作情報が示す操作内容がモード切替釦を選択していると判定したとすると（ステップＳ１０２：Ｙｅｓ）、設備制御装置１の動作モードが、現在の動作モードとは異なる動作モードに変更される（ステップＳ１０６）。例えば設備制御装置１が空気調和機制御モードで動作していた場合、設備制御装置１の動作モードが照明装置制御モードに変更される。
【００４６】
次に、操作画面表示部１１５は、操作画面情報記憶部１３３から、変更後の動作モードに対応する操作画面情報を取得して表示部１０７に表示させる（ステップＳ１０７）。続いて、再びステップＳ１０１の処理が実行される。
【００４７】
また、ステップＳ１０２において、操作内容判定部１１２が、操作情報が示す操作内容がモード切替釦を選択していないと判定したとする（ステップＳ１０２：Ｎｏ）。この場合、制御情報送信部１１３は、制御情報記憶部１３１から、操作情報取得部１１１が取得した操作情報に応じた制御情報を取得して空気調和機７または照明装置８へ送信する（ステップＳ１０３）。ここで、制御情報送信部１１３は、空気調和機７または照明装置８が停止した状態で、電源釦１ｃが押下されると、制御情報記憶部１３１から動作開始を指令する開始指令情報を取得して空気調和機７または照明装置８へ送信する。一方、制御情報送信部１１３は、空気調和機７または照明装置８が動作している状態で、電源釦１ｃが押下されると、制御情報記憶部１３１から動作停止を指令する停止指令情報を取得して空気調和機７または照明装置８へ送信する。また、設備制御装置１が空気調和機制御モードで動作しているときに、操作釦ＣＢＴのいずれかが押下されると、制御情報送信部１１３は、制御情報記憶部１３１から、操作内容に応じて空気調和機７の設定温度を変更するための制御情報を取得して空気調和機７へ送信する。更に、設備制御装置１が照明装置制御モードで動作しているときに、操作釦ＣＢＴのいずれかが押下されると、制御情報送信部１１３は、制御情報記憶部１３１から、操作内容に応じて照明装置８の明るさを変更するための制御情報を取得して照明装置８へ送信する。また、制御情報送信部１１３は、空気調和機７または照明装置８へ開始指令情報を送信した場合、ステータス情報記憶部１３５が記憶する第１フラグ情報または第２フラグ情報の内容を動作中に更新する。一方、制御情報送信部１１３は、空気調和機７または照明装置８へ停止指令情報を送信した場合、ステータス情報記憶部１３５が記憶する第１フラグ情報または第２フラグ情報の内容を停止中に更新する。
【００４８】
次に、操作内容判定部１１２は、操作情報取得部１１１が取得した操作情報が、空気調和機７および照明装置８の少なくとも一方が動作中の状態から空気調和機７および照明装置８の両方を停止中にする停止操作を示すか否かを判定する（ステップＳ１０４）。ここで、操作内容判定部１１２は、ステータス情報記憶部１３５が記憶する第１フラグ情報と第２フラグ情報とのいずれか一方が動作中を示している状態から第１フラグ情報および第２フラグ情報の両方が停止中を示す状態に変更されると、停止操作を示すと判定する。例えば空気調和機７および照明装置８の両方が動作しているときに、設備制御装置１が空気調和機制御モードのときに電源釦１ｃが押下され、その後、設備制御装置１が照明装置制御モードに変更されてから電源釦１ｃが押下されると、操作内容判定部１１２は、操作情報が停止操作を示すと判定する。操作内容判定部１１２により操作情報が停止操作を示していないと判定されると（ステップＳ１０４：Ｎｏ）、再びステップＳ１０１の処理が実行される。
【００４９】
一方、操作内容判定部１１２により操作情報が停止操作を示していると判定されると（ステップＳ１０４：Ｙｅｓ）、呼び出し情報生成部１１４は、呼び出し情報を生成して利用者情報生成装置２へ送信する（ステップＳ１０５）。その後、再びステップＳ１０１の処理が実行される。
【００５０】
次に、本実施の形態に係る利用者情報生成装置２が実行する利用者情報生成処理について図１２を参照しながら説明する。この利用者情報生成処理は、例えば利用者情報生成装置２へ電源が投入されたことを契機として開始される。
【００５１】
まず、呼び出し情報受信部２１１は、設備制御装置１から呼び出し情報を受信したか否かを判定する（ステップＳ２０１）。ここで、呼び出し情報受信部２１１は、呼び出し情報を受信しない限り（ステップＳ２０１：Ｎｏ）、待機状態を維持する。一方、呼び出し情報受信部２１１が、呼び出し情報を受信すると（ステップＳ２０１：Ｙｅｓ）、距離情報取得部２１２は、レイアウト情報記憶部２３１から、受信した呼び出し情報に含まれる装置識別情報に対応する距離情報を取得する（ステップＳ２０２）。
【００５２】
次に、所要時間算出部２１３は、距離情報取得部２１２が取得した距離情報と、移動速度情報記憶部２３２から取得した移動速度情報と、に基づいて、利用者が、設備制御装置１が設置された居室からエレベータの乗り場ＥＨまで移動するのに要する所要時間を算出する（ステップＳ２０３）。
【００５３】
続いて、利用者情報生成部２１４は、レイアウト情報記憶部２３１から、取得した呼び出し情報に含まれる装置識別情報に対応する階床情報を取得する。そして、利用者情報生成部２１４は、取得した階床情報と所要時間算出部２１３が算出した所要時間を示す所要時間情報とを含む利用者情報を生成してエレベータ管理装置３へ送信する（ステップＳ２０４）。その後、再びステップＳ２０１の処理が実行される。
【００５４】
次に、本実施の形態に係るエレベータ管理装置３が実行するエレベータ管理処理について図１３を参照しながら説明する。このエレベータ管理処理は、例えばエレベータ管理装置３へ電源が投入されたことを契機として開始される。
【００５５】
まず、呼び出し釦押下情報取得部３１１は、呼び出し釦５に接続されたインタフェース３０５から、呼び出し釦押下情報を取得したか否かを判定する（ステップＳ３０１）。呼び出し釦押下情報取得部３１１は、呼び出し釦押下情報を取得したと判定すると（ステップＳ３０１：Ｙｅｓ）、呼び出し釦押下情報に含まれる装置識別情報を抽出する。そして、呼び出し釦押下情報取得部３１１は、抽出した装置識別情報と、計時部３１３から取得した呼び出し釦押下情報が発生した発生時刻を示す発生時刻情報と、を含む利用者情報を利用者情報記憶部３３１に記憶させる（ステップＳ３０２）。ここで、呼び出し釦押下情報取得部３１１は、利用者情報に含まれる所要時間情報を「０」に設定する。次に、後述するステップＳ３０５の処理が実行される。
【００５６】
一方、呼び出し釦押下情報取得部３１１が、呼び出し釦押下情報を取得しないと判定すると（ステップＳ３０１：Ｎｏ）、利用者情報受信部３１２は、利用者情報生成装置２から利用者情報を受信したか否かを判定する（ステップＳ３０３）。利用者情報受信部３１２が、利用者情報を受信していないと判定すると（ステップＳ３０３：Ｎｏ）、後述するステップＳ３０８の処理が実行される。一方、利用者情報受信部３１２は、利用者情報を受信したと判定すると（ステップＳ３０３：Ｙｅｓ）、受信した利用者情報を利用者情報記憶部３３１に記憶させる（ステップＳ３０４）。次に、判定部３１４は、利用者情報記憶部３３１が複数の利用者情報を記憶しているか否かを判定する（ステップＳ３０５）。
【００５７】
判定部３１４により利用者情報記憶部３３１が記憶する利用者情報が１つだけであると判定されると（ステップＳ３０５：Ｎｏ）、決定部３１６は、その１つの利用者情報に対応する利用者に割り当てるエレベータの割当て計画を決定する（ステップＳ３０６）。ここで、決定部３１６は、位置情報取得部３１８により取得された各乗りかご６１Ａ、６１Ｂ、６１Ｃの位置を示す乗りかご位置情報を取得する。また、決定部３１６は、階床情報記憶部３３４が記憶する階床情報から、利用者情報に含まれる装置識別情報に対応する階床情報を取得する。そして、決定部３１６は、取得した階床情報が示す階床に最も近い階床に位置する乗りかご６１Ａ、６１Ｂ、６１Ｃを、その利用者情報に対応する利用者に割り当てるようにエレベータ６Ａ、６Ｂ、６Ｃの割当て計画を決定する。決定部３１６は、決定した割当て計画を示す運行計画情報を割当て計画情報記憶部３３３に記憶させる。
【００５８】
次に、指令情報生成部３１７は、決定した割当て計画に基づいて指令情報を生成して駆動装置６３Ａ、６３Ｂ、６３Ｃが接続されたインタフェース３０４へ出力する（ステップＳ３０７）。これにより、駆動装置６３Ａ、６３Ｂ、６３Ｃは、決定部３１６により決定されたエレベータ６Ａ、６Ｂ、６Ｃの割り当て計画に沿って、乗りかご６１Ａ、６１Ｂ、６１Ｃを移動させる。
【００５９】
また、ステップＳ３０５において、判定部３１４により利用者情報記憶部３３１が複数の利用者情報を記憶していると判定されると（ステップＳ３０５：Ｙｅｓ）、残り所要時間算出部３１５は、複数の利用情報それぞれに対応する残り所要時間を算出する（ステップＳ３１３）。ここで、残り所要時間算出部３１５は、各利用者情報に対応する発生時刻情報が示す時刻と現在時刻とから各利用者情報に対応する残り所要時間を算出する。
【００６０】
続いて、決定部３１６は、複数の利用者にそれぞれ割り当てるエレベータ６Ａ、６Ｂ、６Ｃの割当て計画を決定する（ステップＳ３１４）。ここで、決定部３１６は、位置情報取得部３１８により取得された各乗りかご６１Ａ、６１Ｂ、６１Ｃの位置を示す乗りかご位置情報を取得する。また、決定部３１６は、階床情報記憶部３３４が記憶する階床情報から、複数の利用者情報それぞれに含まれる装置識別情報に対応する階床情報を取得する。そして、決定部３１６は、残り所要時間が短い利用者へ優先的に乗りかご６１Ａ、６１Ｂ，６１Ｃが割り当てられるように割当て順序を決定する。決定部３１６は、各利用者に割り当てたエレベータ６Ａ、６Ｂ、６Ｃそれぞれのエレベータ識別情報と決定した割当て順序を示す割当て順序情報とが装置識別情報に対応づけられた割当て計画情報を、割当て計画情報記憶部３３３に記憶させる。
【００６１】
その後、指令情報生成部３１７は、割当て計画情報記憶部３３３から、割当て計画情報を取得し、取得した割当て計画情報が示す割当て計画に基づいて、指令情報を生成して駆動装置６３Ａ、６３Ｂ、６３Ｃに接続されたインタフェース３０４へ出力する（ステップＳ３１５）。これにより、駆動装置６３Ａ、６３Ｂ、６３Ｃは、決定部３１６により決定されたエレベータ６Ａ、６Ｂ、６Ｃの割り当て計画に沿って、乗りかご６１Ａ、６１Ｂ、６１Ｃを移動させる。
【００６２】
次に、削除部３１９は、駆動装置６３Ａ、６３Ｂ、６３Ｃに接続されたインタフェース３０４から搬送完了通知情報が入力されたか否かを判定する（ステップＳ３０８）。ここで、駆動装置６３Ａ、６３Ｂ、６３Ｃは、乗りかご６１Ａ、６１Ｂ、６１Ｃの扉を一度開いて利用者を収容した後、乗りかご６１Ａ、６１Ｂ、６１Ｃを利用者の目的の階床へ移動させてから、乗りかご６１Ａ、６１Ｂ、６１Ｃの扉を開いたとする。このとき、駆動装置６３Ａ、６３Ｂ、６３Ｃは、利用者の搬送が完了したことを通知する搬送完了通知信号をエレベータ管理装置３へ出力する。そして、エレベータ管理装置３のインタフェース３０４は、駆動装置６３Ａ、６３Ｂ、６３Ｃから搬送完了通知信号が入力されると、搬送完了通知情報に変換してＣＰＵ３０１へ出力する。この搬送完了通知情報は、駆動装置６３Ａ、６３Ｂ、６３Ｃが利用者の搬送を完了した時点における乗りかご６１Ａ、６１Ｂ、６１Ｃの位置を示す乗りかご位置情報を含む。削除部３１９により搬送完了通知情報が入力されていないと判定されると（ステップＳ３０８：Ｎｏ）、再びステップＳ３０１の処理が実行される。
【００６３】
一方、削除部３１９は、搬送完了通知情報が入力されたと判定すると（ステップＳ３０８：Ｙｅｓ）、扉閉通知情報に対応する利用者情報を特定する（ステップＳ３０９）。ここで、削除部３１９は、扉閉通知情報が入力された時点において残り時間情報が示す時間が「０」であり且つ扉閉通知情報に含まれる階床情報に対応する装置識別情報を含む利用者情報を特定する。
【００６４】
その後、削除部３１９は、特定した利用者情報を利用者情報記憶部３３１から削除する（ステップＳ３１０）。次に、決定部３１６は、再度、利用者情報記憶部３３１が記憶する各利用者情報に対応する利用者へのエレベータ６Ａ、６Ｂ、６Ｃの割当てを決定する（ステップＳ３１１）。続いて、指令情報生成部３１７は、割当て計画情報記憶部３３３から、割当て計画情報を取得し、取得した割当て計画情報が示す割当て計画に基づいて、指令情報を生成してインタフェース３０４へ出力する（ステップＳ３１２）。その後、再びステップＳ３０１の処理が実行される。
【００６５】
以上説明したように、本実施の形態に係る設備制御装置１では、制御情報送信部１１３が、操作情報取得部１１１が取得した操作情報に応じた制御情報を取得して空気調和機７または照明装置８へ送信する。また、呼び出し情報生成部１１４が、操作情報に基づいて、エレベータの乗りかご６１Ａ、６１Ｂ、６１Ｃを設備制御装置１の制御対象の空気調和機７または照明装置８が設置された階床に呼び出す呼び出し情報を生成して送出する。これにより、１つの設備制御装置１を設置するだけで空気調和機７または照明装置８の制御とともにその空気調和機７または照明装置８が設置された階床への乗りかご６１Ａ、６１Ｂ、６１Ｃの呼び出しを行うことが可能となるので、導入負担が軽減される。また、呼び出し情報生成部１１４が、利用者による空気調和機７または照明装置８を制御するための操作内容を示す操作情報に基づいて、呼び出し情報を生成して送出する。これにより、例えば呼び出し情報生成部１１４が、空気調和機７および照明装置８を停止させることを示す操作情報を取得した場合に呼び出し情報を生成するようにすれば、利用者がエレベータの乗り場へ移動する蓋然性の高いときに乗りかご６１Ａ、６１Ｂ、６１Ｃがその空気調和機７または照明装置８が設置された階床へ呼び出されることになる。従って、エレベータの乗りかご６１Ａ、６１Ｂ、６１Ｃを無駄に移動させてしまうことが抑制される。
【００６６】
ところで、近年では、複数のエレベータを有する大規模な高層ビルが多く建設されている。このような高層ビルでは、複数のエレベータを効率的に運転させることにより、省エネルギ化を図ることが要請されている。これに対して、本実施の形態に係るエレベータ管理システムによれば、利用者の居室の利用状況に応じて複数のエレベータを効率的に割り当てる。これにより、複数のエレベータが設置された高層ビルの省エネルギ化に寄与できるので、例えば近い将来の実現が求められているＺＥＢ（ネット・ゼロ・エネルギ・ビル）の実現に貢献しうる。
【００６７】
また、複数の階床を有しエレベータが設置された建物内に居る人は、一般的に、エレベータを利用したい場合、まず、エレベータ乗り場ＥＨまで移動してから乗りかごの呼び出し釦を押下しなければならない。特に、建物が高層ビルである場合、乗りかごの移動に時間を要するため、その分、利用者の待ち時間が長くなってしまう。これに対して、本実施の形態に係るエレベータ管理システムでは、建物ＢＵ内にいる利用者Ｕは居室Ｒ２０１、Ｒ２０２、・・・、Ｒ５０３の使用後エレベータ乗り場ＥＨへ移動する前に乗りかご６１Ａ、６１Ｂ、６１Ｃを利用者Ｕの居る階床へ呼び出すことができる。従って、居室Ｒ２０１、Ｒ２０２、・・・、Ｒ５０３からエレベータ乗り場ＥＨへの移動に要する所要時間分だけ、エレベータ乗り場ＥＨでの乗りかご６１Ａ、６１Ｂ、６１Ｃの待ち時間が短縮されるという利点がある。
【００６８】
また、本実施の形態に係る設備制御装置１では、操作内容判定部１１２が、操作情報が空気調和機７および照明装置８の両方を停止させるための停止操作を示すか否かを判定する。そして、呼び出し情報生成部１１４が、操作情報が空気調和機７および照明装置８の両方を停止させるための停止操作を示すと判定されると、呼び出し情報を生成して利用者情報生成装置２へ送信する。これにより、例えば利用者が居室Ｒ２０１、Ｒ２０２、・・・、Ｒ５０３の使用後において乗りかご６１Ａ、６１Ｂ、６１Ｃを利用者の居る階床へ呼び出すことを忘れていたとしても、乗りかご６１Ａ、６１Ｂ、６１Ｃが自動的に呼び出される。従って、利用者の利便性が向上する。
【００６９】
更に、本実施の形態に係るエレベータ管理システムでは、利用者情報生成装置２が、居室Ｒ２０１、Ｒ２０２、・・・、Ｒ５０３からエレベータ乗り場ＥＨまでの距離情報に基づいて、利用者がエレベータ乗り場ＥＨまで移動するのに要する所要時間を算出する。そして、利用者情報生成装置２は、装置識別情報と所要時間情報とを含む利用者情報を生成する。また、エレベータ管理装置３は、利用者情報に含まれる装置識別情報に対応する階床情報と乗りかご位置情報とに基づいて、エレベータ６Ａ、６Ｂ、６Ｃの割当て計画を決定する。これにより、エレベータ６Ａ、６Ｂ、６Ｃの利用効率の向上および利用者の待ち時間の削減を図ることができる。
【００７０】
また、本実施の形態に係る利用者情報記憶部３３１は、利用者情報を利用者情報が発生した発生時刻を示す発生時刻情報と対応づけて記憶する。また、残り所要時間算出部３１５が、所要時間情報が示す所要時間と発生時刻情報が示す発生時刻と現在時刻とから利用者情報に対応する残り所要時間を算出する。そして、決定部３１６は、残り所要時間に基づいて、エレベータ６Ａ、６Ｂ、６Ｃの割当て計画を決定する。これにより、設備制御装置１から呼び出し情報が送出され、利用者情報生成装置２が利用者情報を生成した利用者情報の発生時刻からの経過時間を考慮してエレベータ６Ａ、６Ｂ、６Ｃの割当て計画が決定される。従って、エレベータ６Ａ、６Ｂ、６Ｃの利用効率の向上および利用者の待ち時間の削減を図ることができる。
【００７１】
以上、本発明の実施の形態について説明したが、本発明は実施の形態によって限定されるものではない。例えば、設備制御装置１が、空気調和機制御モードおよび照明装置制御モードの他に、設備制御装置１が設置された居室が存在する階床へ乗りかご６１Ａ、６１Ｂ、６１Ｃを呼び出す機能を発揮する呼び出しモードで動作するものであってもよい。この場合、操作画面情報記憶部１３３は、空気調和機制御モード、照明装置制御モードおよび呼び出しモードそれぞれに対応する操作画面を示す操作画面情報を記憶する。例えば図１４（Ａ）に示すように、空気調和機制御モードに対応する操作画面１０７ａには、操作釦ＭＢＴの位置を表示する「モード」表示ＭＡに加えて、設備制御装置１を呼び出しモードに切り替えるための操作釦ＣＡＴの位置を表示する「呼出」表示ＣＡＡ１が存在する。また、例えば図１４（Ｂ）に示すように、呼び出しモードに対応する操作画面１０７ａを示す操作画面情報も記憶する。この操作画面１０７ａには、操作釦ＭＢＴの位置を表示する「モード」表示ＭＡと、呼出釦として機能する操作釦ＣＢＴの位置を表示する「呼びボタン」表示ＣＡＡ２と、が存在する。そして、設備制御装置１の操作画面１０７ａが図１４（Ａ）に示す状態のときに、利用者が「呼出」表示ＣＡＡ１の下に位置する操作釦ＣＡＴを押下したとする。このとき、操作画面表示部１１５は、操作釦ＣＡＴを押下する操作を示す操作情報に基づいて、操作画面情報記憶部１３３から図１４（Ｂ）に示す操作画面１０７ａを示す操作画面情報を選択して表示部１０７に表示させる。また、設備制御装置１の操作画面１０７ａが図１４（Ｂ）に示す状態のときに、利用者が「呼びボタン」表示ＣＡＡ２の下に位置する操作釦ＣＢＴを押下したとする。このとき、操作内容判定部１１２は、選択された操作釦の種類に基づいて利用者の移動方向を判定する。例えば設備制御装置１の操作画面１０７ａが図１４（Ｂ）に示す状態のときに、利用者が図１４（Ｂ）の「呼びボタン」表示ＣＡＡ２の右下の操作釦ＣＢＴを選択している場合、操作内容判定部１１２は、利用者が利用者の居る階床よりも下層の階床へ移動すると判定する。一方、利用者が図１４（Ｂ）の「呼びボタン」表示ＣＡＡ２の左下の操作釦ＣＢＴを選択している場合、操作内容判定部１１２は、利用者が利用者の居る階床よりも上層の階床へ移動すると判定する。そして、操作内容判定部１１２は、利用者の移動方向を示す移動方向情報を呼び出し情報生成部１１４へ通知する。そして、呼び出し情報生成部１１４は、操作内容判定部１１２から通知される移動方向情報を含む呼び出し情報を生成して利用者情報生成装置２へ送出する。
【００７２】
次に、本変形例に係る設備制御装置１が実行する設備制御処理について図１５を参照しながら説明する。まず、操作情報取得部１１１は、操作部１０５から操作情報を取得したか否かを判定する（ステップＳ２１０１）。ここで、操作情報取得部１１１が、操作情報を取得すると（ステップＳ２１０１：Ｙｅｓ）、操作内容判定部１１２は、操作情報がモード切替釦の選択を示しているか否かを判定する（ステップＳ２１０２）。操作内容判定部１１２が、操作情報が示す操作内容がモード切替釦を選択していると判定すると（ステップＳ２１０２：Ｙｅｓ）、操作画面表示部１１５が、操作画面情報記憶部１３３から現状の動作モードとは異なる他の動作モードに対応する操作画面情報を取得して表示部１０７に表示させる（ステップＳ２１１０）。一方、操作内容判定部１１２が、操作情報が示す操作内容がモード切替釦を選択していないと判定すると（ステップＳ２１０２：Ｎｏ）、操作内容判定部１１２は、設備制御装置１の動作モードが呼び出しモードであるか否かを判定する（ステップＳ２１０３）。操作内容判定部１１２は、設備制御装置１の動作モードが呼び出しモードでないと判定すると（ステップＳ２１０３：Ｎｏ）、操作情報が呼び出しモード釦の選択を示しているか否かを判定する（ステップＳ２１０４）。操作内容判定部１１２により操作情報が呼び出しモード釦の選択を示していないと判定されると（ステップＳ２１０４：Ｎｏ）、制御情報送信部１１３は、制御情報記憶部１３１から制御情報を取得して利用者情報生成装置２へ送信する（ステップＳ２１０５）。次に、ステップＳ２１０１の処理が実行される。
【００７３】
一方、操作内容判定部１１２により操作情報が呼び出しモード釦の選択を示していると判定されると（ステップＳ２１０４：Ｙｅｓ）、操作画面表示部１１５は、操作画面情報記憶部１３３から呼び出しモードに対応する操作画面を示す操作画面情報を取得して表示部１０７に表示させる（ステップＳ２１０６）。続いて、ステップＳ２１０１の処理が実行される。
【００７４】
また、操作内容判定部１１２は、ステップＳ２１０３において、設備制御装置１の動作モードが呼び出しモードであると判定すると（ステップＳ２１０３：Ｙｅｓ）、操作情報が呼び出し釦の選択を示しているか否かを判定する（ステップＳ２１０７）。操作内容判定部１１２により操作情報が呼び出し釦の選択を示していないと判定されると（ステップＳ２１０７：Ｎｏ）、再びステップＳ２１０１の処理が実行される。一方、操作内容判定部１１２は、操作情報が呼び出し釦の選択を示していると判定すると（ステップＳ２１０７：Ｙｅｓ）、選択された呼び出し釦の種類に基づいて利用者の移動方向を判定する（ステップＳ２１０８）。
【００７５】
続いて、呼び出し情報生成部１１４は、設備制御装置１の装置識別情報と利用者の移動方向を示す移動方向情報とを含む呼び出し情報を生成して利用者情報生成装置２へ送信する（ステップＳ２１０９）。即ち、呼び出し情報は、利用者が、設備制御装置１が設置された居室が存在する階床よりも上方の階床と下方の階床とのいずれへ移動するかを示す移動方向情報を含む。その後、再びステップＳ２１０１の処理が実行される。
【００７６】
この場合、利用者情報生成装置２は、設備制御装置１から呼び出し情報を受信すると、受信した呼び出し情報に含まれる装置識別情報に基づいて、装置識別情報に対応する所要時間を算出する。そして、利用者情報生成装置２は、算出した所要時間を示す所要時間情報とともに、呼び出し情報に含まれる移動方向情報を含む利用者情報を生成してエレベータ管理装置３へ送信する。一方、エレベータ管理装置３は、利用者情報を受信すると、利用者情報に含まれる装置識別情報および所要時間情報と利用者情報の発生時刻を示す発生時刻情報とともに、移動方向情報を利用者情報記憶部３３１に記憶させる。そして、決定部３１６は、残り所要時間情報および階床情報とともに、各装置識別情報に対応する移動方向情報に基づいて、エレベータ６Ａ、６Ｂ、６Ｃの割当ておよび割当て順序を決定する。
【００７７】
本構成によれば、設備制御装置１が、乗りかご６１Ａ、６１Ｂ、６１Ｃを呼び出す機能を発揮する呼び出しモードで動作する。そして、設備制御装置１が呼び出しモードで動作している場合に呼び出し釦が選択されて初めて乗りかご６１Ａ、６１Ｂ、６１Ｃが設備制御装置１に対応する階床へ呼び出される。これにより、例えば利用者が、空気調和機７および照明装置８の両方を停止させたがエレベータ６Ａ、６Ｂ、６Ｃを利用する意図が無い場合、乗りかごが無駄に呼び出されることが抑制される。
【００７８】
また、本構成では、呼び出し情報が、利用者の移動方向情報を含み、利用者情報生成部２１４が、移動方向情報を含む利用者情報を生成する。そして、決定部３１６は、残り所要時間情報および階床情報とともに、各装置識別情報に対応する移動方向情報に基づいて、エレベータ６Ａ、６Ｂ、６Ｃの割当ておよび割当て順序を決定する。これにより、エレベータ６Ａ、６Ｂ、６Ｃが、利用者の移動方向を考慮して決定されるので、その分、エレベータ６Ａ、６Ｂ、６Ｃの利用効率を高めることができる。
【００７９】
実施の形態において、設備制御装置が、利用者による設備制御装置が設置された居室が存在する階床への乗りかごの到達時刻の設定が可能な呼び出し時刻設定モードで動作しうるものであってもよい。例えば図１６に示すように、設備制御装置３００１が、操作内容判定部１１２による操作情報の内容に応じて、呼び出し時刻情報を設定する呼び出し時刻設定部３１１６と、呼び出し時刻情報を記憶する呼び出し時刻情報記憶部３１３６と、を備えるものであってもよい。ここで、呼び出し時刻情報は、利用者が要望する乗りかごのエレベータ乗り場への到達時刻までの時間として設定される。また、操作画面情報記憶部１３３は、呼び出し時刻情報を設定するための操作画面を示す呼び出し時刻設定画面情報を記憶している。
【００８０】
ここで、操作画面表示部１１５は、設備制御装置３００１が呼び出しモードで動作しているときに、例えば図１７に示すような呼び出し時刻表示ＣＡＡ４を含む操作画面１０７ａを表示部１０７に表示させる。そして、設備制御装置３００１は、呼び出しモードで動作しているときに、利用者により操作釦ＭＢＴ、ＣＢＴ、ＣＡＴに対して予め設定された操作が行われると、動作モードを呼び出し時刻設定モードに切り替える。このとき、操作画面表示部１１５は、操作画面情報記憶部１３３から利用者が呼び出し時刻を設定するための操作画面を示す呼び出し時刻設定画面情報を取得して表示部１０７に表示させる。図１６に戻って、呼び出し時刻設定部３１１６は、表示部１０７に呼び出し時刻設定画面が表示されている状態で、操作情報取得部１１１が取得した操作情報に基づいて、呼び出し時刻情報を設定し、呼び出し時刻情報記憶部３１３６に記憶させる。
【００８１】
次に、本変形例に係る利用者情報生成装置２が実行する利用者情報生成処理について図１８を参照しながら説明する。まず、呼び出し情報受信部２１１は、設備制御装置３００１から呼び出し情報を受信したか否かを判定する（ステップＳ３２０１）。ここで、呼び出し情報受信部２１１が、呼び出し情報を受信すると（ステップＳ３２０１：Ｙｅｓ）、利用者情報生成部２１４が、呼び出し情報に呼び出し時刻情報が含まれるか否かを判定する（ステップＳ３２０２）。利用者情報生成部２１４は、呼び出し情報に呼び出し時刻情報が含まれると判定すると（ステップＳ３２０２：Ｙｅｓ）、呼び出し時刻情報記憶部３１３６から呼び出し時刻情報を取得する（ステップＳ３２０３）。次に、利用者情報生成部２１４は、取得した呼び出し時刻情報が示す時間に等しい所要時間を示す所要時間情報を含む利用者情報を生成してエレベータ管理装置３へ送信する（ステップＳ３２０６）。一方、利用者情報生成部２１４により呼び出し情報に呼び出し時刻情報が含まれないと判定されたとする（ステップＳ３２０２：Ｎｏ）。この場合、距離情報取得部２１２が、レイアウト情報記憶部２３１から距離情報を取得し（ステップＳ３２０４）、所要時間算出部２１３が、前述の距離情報と移動速度情報記憶部２３２から取得した移動速度情報とに基づいて所要時間を算出する（ステップＳ３２０５）。そして、利用者情報生成部２１４は、算出した所要時間を示す所要時間情報を含む利用者情報を生成してエレベータ管理装置３へ送信する（ステップＳ３２０６）。
【００８２】
本構成によれば、利用者が設備制御装置３００１を使用して、乗りかご６１Ａ、６１Ｂ、６１Ｃのエレベータ乗り場ＥＨへの到達時刻を自由に設定することができる。従って、利用者はエレベータ乗り場ＥＨでの待ち時間を考慮せずに行動スケジュールを立てることが可能となるので、利用者の利便性が向上する。
【００８３】
実施の形態では、操作内容判定部１１２により操作情報が空気調和機７と照明装置８との少なくとも一方が動作中の状態からそれら両方を停止させる停止操作であると判定されると、呼び出し情報生成部１１４が、呼び出し情報を生成して送信する例について説明した。但し、これに限らず、例えば、操作情報が空気調和機７と照明装置８との少なくとも一方が動作中の状態からそれら両方を停止させる停止操作であると判定されると、操作画面表示部１１５が、呼び出しモードに対応する操作画面を示す操作画面情報を取得して表示部１０７に表示させるものであってもよい。そして、呼び出し情報生成部１１４が、呼び出しモードに対応する操作画面が表示部１０７に表示された状態で、操作内容判定部１１２により操作情報が呼び出し釦の選択を示すと判定された場合に、呼び出し情報を利用者情報生成装置２へ送信するものであってもよい。
【００８４】
次に、本変形例に係る設備制御装置１が実行する設備制御処理について図１９を参照しながら説明する。まず、ステップＳ４１０１からＳ４１０３までの処理が実行され、次に、操作内容判定部１１２は、操作情報取得部１１１が取得した操作情報が、空気調和機７および照明装置８の少なくとも一方が動作中の状態から空気調和機７および照明装置８の両方を停止中にする停止操作を示すか否かを判定する（ステップＳ４１０４）。なお、ステップＳ４１０１からＳ４１０４までの処理並びにステップＳ４１１０およびＳ４１１１の処理は、実施の形態で説明したステップＳ１０１からＳ１０４並びにステップＳ１０６およびＳ１０７の処理と同様である。ステップＳ４１０４において、操作内容判定部１１２により操作情報が空気調和機７および照明装置８の両方を停止させる停止操作を示していると判定されたとする（ステップＳ４１０４：Ｙｅｓ）。この場合、操作画面表示部１１５は、操作画面情報記憶部１３３から、呼び出しモードに対応する操作画面を示す操作画面情報を取得して表示部１０７に表示させる（ステップＳ４１０５）。
【００８５】
続いて、操作内容判定部１１２は、呼び出しモードに対応する操作画面が表示部１０７に表示された状態で、呼び出し釦が選択されたか否かを判定する（ステップＳ４１０６）。操作内容判定部１１２により呼び出し釦が選択されたと判定されると（ステップＳ４１０６：Ｙｅｓ）、呼び出し情報生成部１１４は、呼び出し情報を生成して利用者情報生成装置２へ送信する（ステップＳ４１０９）。
【００８６】
一方、操作内容判定部１１２により呼び出し釦が選択されていないと判定されると（ステップＳ４１０６：Ｎｏ）、操作画面表示部１１５は、設備制御装置１が呼び出しモードの状態で基準時間経過したか否かを判定する（ステップＳ４１０７）。操作画面表示部１１５により設備制御装置１が呼び出しモードの状態で基準時間だけ経過したと判定されない限り（ステップＳ４１０７：Ｎｏ）、ステップＳ４１０６の処理が繰り返し実行される。一方、操作画面表示部１１５が、設備制御装置１が呼び出しモードの状態で基準時間だけ経過したと判定したとする（ステップＳ４１０７：Ｙｅｓ）。この場合、操作画面表示部１１５は、操作画面情報記憶部１３３から空気調和機制御モードに対応する操作画面を示す操作画面情報を取得して表示部１０７に表示させる（ステップＳ４１０８）。その後、再びステップＳ４１０１の処理が実行される。
【００８７】
本構成によれば、操作内容判定部１１２により操作情報が空気調和機７および照明装置８の両方を停止させる停止操作を示していると判定されると、設備制御装置１が呼び出しモードで動作する。そして、設備制御装置１が呼び出しモードで動作している場合に呼び出し釦が選択されて初めて乗りかご６１Ａ、６１Ｂ、６１Ｃが設備制御装置１に対応する階床へ呼び出される。これにより、例えば利用者が、空気調和機７および照明装置８の両方を停止させたがエレベータを利用する意図が無い場合、乗りかごが無駄に呼び出されることが抑制される。
【００８８】
実施の形態において、設備制御装置を用いてエレベータの利用者人数を設定できるとともに、エレベータ管理装置が、エレベータの利用者人数または設備制御装置が設置された居室の収容人数に応じてエレベータの割当て計画を決定するものであってもよい。
【００８９】
例えば図２０に示すように、本変形例に係るエレベータ管理装置５００３は、収容人数情報記憶部５３３５と、必要台数算出部５３１９と、を備える。収容人数情報記憶部５３３５は、設備制御装置１が設置された居室それぞれの収容人数を示す収容人数情報を、その設備制御装置１の装置識別情報と対応づけて記憶している。また、収容人数情報記憶部５３３５は、乗りかご６１Ａ、６１Ｂ、６１Ｃそれぞれの収容人数を示す乗りかご収容人数情報も記憶している。
【００９０】
必要台数算出部５３１９は、利用者情報生成装置２から受信した利用者情報に含まれる装置識別情報に対応する収容人数情報が示す収容人数に基づいて、エレベータの必要台数を算出する。必要台数算出部５３１９は、収容人数情報記憶部５３３５から、利用者情報に含まれる装置識別情報に対応する収容人数情報と各乗りかご６１Ａ、６１Ｂ、６１Ｃの乗りかご収容人数情報とを取得する。そして、必要台数算出部５３１９は、収容人数情報が示す人数と、各乗りかご収容人数情報が示す人数との大小関係に基づいて、エレベータ６Ａ、６Ｂ、６Ｃの必要台数を算出する。必要台数算出部５３１９は、算出した必要台数を示す必要台数情報を決定部５３１６へ通知する。
【００９１】
決定部は、必要台数算出部５３１９から通知される必要台数情報が示す、必要台数算出部５３１９が算出した必要台数に基づいて、エレベータの割当て計画を決定する。
【００９２】
また、図２１に示すように、本変形例に係る設備制御装置５００１は、操作内容判定部１１２による操作情報の内容に応じて、利用者人数情報を設定する利用者人数設定部５１１６と、利用者人数情報を記憶する利用者人数情報記憶部５１３６と、を備える。そして、設備制御装置５００１は、利用者によるエレベータを利用する利用者の人数の設定が可能な利用者人数設定モードで動作しうる。操作画面表示部１１５は、設備制御装置５００１が呼び出しモードで動作しているときに、例えば図２２に示すような利用者人数表示ＣＡＡ６を含む操作画面１０７ａを表示部１０７に表示させる。設備制御装置５００１は、呼び出しモードで動作しているときに、利用者により操作釦ＭＢＴ、ＣＢＴ、ＣＡＴに対して予め設定された操作が行われると、動作モードを利用者人数設定モードに切り替える。このとき、操作画面表示部１１５は、操作画面情報記憶部１３３から利用者がエレベータの利用者人数を設定するための操作画面を示す利用者人数設定画面情報を取得して表示部１０７に表示させる。
【００９３】
図２１に戻って、利用者人数設定部５１１６は、表示部１０７に利用者人数設定画面が表示されている状態で、操作情報取得部１１１が取得した操作情報に基づいて、利用者人数情報を設定し、利用者人数情報記憶部５１３６に記憶させる。
【００９４】
次に、本変形例に係るエレベータ管理装置５００３が実行するエレベータ管理処理について図２３および図２４を参照しながら説明する。まず、ステップＳ５３０１からＳ５３０４までの処理が実行される。ステップＳ５３０１からＳ５３０４までの処理は、実施の形態で説明したステップＳ３０１からＳ３０４までの処理と同様である。次に、判定部３１４は、利用者情報記憶部３３１が利用者情報を複数記憶しているか否かを判定する（ステップＳ５３０５）。
【００９５】
判定部３１４により利用者情報記憶部３３１が記憶する利用者情報が１つだけであると判定されると（ステップＳ５３０５：Ｎｏ）、必要台数算出部５３１９は、収容人数情報記憶部５３３５から利用者情報に含まれる装置識別情報に対応する収容人数情報と各乗りかご６１Ａ、６１Ｂ、６１Ｃの乗りかご収容人数情報とを取得する（ステップＳ５３０６）。
【００９６】
次に、必要台数算出部５３１９は、利用者情報に対応する収容人数が乗りかごの収容人数よりも多いか否かを判定する（ステップＳ５３０７）。必要台数算出部５３１９により利用者情報に対応する収容人数が乗りかごの収容人数よりも少ないと判定されると（ステップＳ５３０７：Ｎｏ）、決定部５３１６は、収容人数が利用者情報に対応する収容人数よりも多い乗りかご６１Ａ、６１Ｂ、６１Ｃを有するエレベータ６Ａ、６Ｂ、６Ｃをその利用者情報に対応する利用者に割り当てるようにエレベータ６Ａ、６Ｂ、６Ｃの割当て計画を決定する（ステップＳ５３１１）。続いて、ステップＳ５３１２以降の処理が実行される。なお、ステップＳ５３１２以降の処理は、実施の形態で図１３を用いて説明したステップＳ３０７以降の処理と同様である。
【００９７】
一方、必要台数算出部５３１９は、利用者情報に対応する収容人数が乗りかごの収容人数よりも多いと判定されると（ステップＳ５３０７：Ｙｅｓ）、利用者情報の中に利用者人数情報が含まれるか否かを判定する（ステップＳ５３０８）。必要台数算出部５３１９は、利用者情報の中に利用者人数情報が含まれないと判定すると（ステップＳ５３０８：Ｎｏ）、収容人数情報記憶部５３３５から取得した利用者情報に対応する収容人数情報が示す収容人数に基づいてエレベータの必要台数を算出する（ステップＳ５３１０）。一方、必要台数算出部５３１９は、利用者情報の中に利用者人数情報が含まれると判定すると（ステップＳ５３０８：Ｙｅｓ）、利用者情報から利用者人数情報を抽出し（ステップＳ５３０９）、抽出した利用者人数情報が示す利用者人数に基づいてエレベータの必要台数を算出する（ステップＳ５３１０）。これにより、例えば収容人数が乗りかご６１Ａ、６１Ｂ、６１Ｃの収容人数よりも多い居室を、乗りかご６１Ａ、６１Ｂ、６１Ｃの収容人数よりも少ない人数で使用していた場合、居室終了後に複数の乗りかご６１Ａ、６１Ｂ、６１Ｃが無駄に呼び出されることが抑制される。その後、決定部５３１６は、必要台数算出部５３１９が算出したエレベータの必要台数分のエレベータ６Ａ、６Ｂ、６Ｃが利用者情報に含まれる装置識別情報に対応する居室が存在する階床へ呼び出されるようにエレベータ６Ａ、６Ｂ、６Ｃの割当て計画を決定する（ステップＳ５３１１）。続いて、ステップＳ５３１２以降の処理が実行される。
【００９８】
本構成によれば、必要台数算出部５３１９が、利用者情報に対応する利用者数に応じてエレベータ６Ａ、６Ｂ、６Ｃの必要台数を算出する。そして、決定部５３１６が、必要台数算出部５３１９が算出したエレベータ６Ａ、６Ｂ、６Ｃの必要台数に基づいて、エレベータ６Ａ、６Ｂ、６Ｃの割当て計画を決定する。これにより、利用者数に応じた最適な台数のエレベータ６Ａ、６Ｂ、６Ｃが利用者に割り当てられるので、乗りかご６１Ａ、６１Ｂ、６１Ｃから溢れた利用者が待ちを強いられる機会を低減することができる。
【００９９】
実施の形態において、エレベータ管理装置が、利用者情報に含まれる装置識別情報が予め設定された居室に設置された設備制御装置に付与されたものである場合、その利用者識別情報に対応する利用者へ優先的にエレベータを割り当てるものであってもよい。
【０１００】
例えば図２５に示すように、本変形例に係るエレベータ管理装置６００３は、特定識別情報記憶部６３３６と、特定識別情報判定部６３１９と、を備える。特定識別情報記憶部６３３５は、予め特定された特定区域に設置された設備制御装置に付与された特定装置識別情報を記憶している。この特定装置識別情報は、例えば建物ＢＵ内のＶＩＰルームまたは役員室に設置された設備制御装置１に付与された装置識別情報に設定されている。
【０１０１】
特定識別情報判定部６３１９は、利用者情報生成装置２から受信した利用者情報に含まれる装置識別情報が前述の特定装置識別情報の中のいずれかと一致するか否かを判定する。決定部６３１６は、特定識別情報判定部６１３９により利用者情報に含まれる設備識別情報が前述の特定装置識別情報の中のいずれかと一致すると判定されると、その利用者情報に対応する利用者へ優先的にエレベータ６Ａ、６Ｂ、６Ｃが割当てられるようにエレベータ６Ａ、６Ｂ、６Ｃの割当て計画を決定する。
【０１０２】
次に、本変形例に係るエレベータ管理装置６００３が実行するエレベータ管理処理について図２６および図２７を参照しながら説明する。まず、図２６に示すように、ステップＳ６３０１からＳ６３０４までの処理が実行される。ステップＳ６３０１からＳ６３０４までの処理は、実施の形態で説明したステップＳ３０１からＳ３０４までの処理と同様である。次に、判定部３１４は、利用者情報記憶部３３１が利用者情報を複数記憶しているか否かを判定する（ステップＳ６３０５）。
【０１０３】
判定部３１４により利用者情報記憶部３３１が記憶する利用者情報が１つだけであると判定されると（ステップＳ６３０５：Ｎｏ）、ステップＳ６３０６以降の処理が実行される。なお、ステップＳ６３０６からＳ６３１２までの処理は、実施の形態で図１３を用いて説明したステップＳ３０６からＳ３１２までの処理と同様である。
【０１０４】
一方、判定部３１４により利用者情報記憶部３３１が記憶する利用者情報が複数存在すると判定されると（ステップＳ６３０５：Ｙｅｓ）、図２７に示すように、残り所要時間算出部３１５は、複数の利用情報それぞれに対応する残り所要時間を算出する（ステップＳ６３１３）。
【０１０５】
続いて、特定識別情報判定部６３１９は、特定識別情報記憶部６３３６が記憶する特定識別情報を参照して、利用者情報に含まれる装置識別情報が特定装置識別情報の中のいずれかと一致するか否かを判定する（ステップＳ６３１４）。特定識別情報判定部６３１９により利用者情報に含まれる装置識別情報が特定装置識別情報のいずれとも一致しないと判定されたとする（ステップＳ６３１４：Ｎｏ）。この場合、決定部６３１６は、複数の利用情報それぞれの残り所要時間に基づいて、複数の利用者情報それぞれに対応する利用者へのエレベータ６Ａ、６Ｂ、６Ｃの割当て計画を決定する（ステップＳ６３１６）。その後、ステップＳ６３１７以降の処理が実行される。このステップＳ６３１７の処理は、実施の形態で図１３を用いて説明したステップＳ３１５の処理と同様である。一方、特定識別情報判定部６３１９により利用者情報に含まれる装置識別情報が特定装置識別情報のいずれかと一致したと判定されたとする（ステップＳ６３１４：Ｙｅｓ）。この場合、決定部６３１６は、特別識別情報と一致する装置識別情報を含む利用者情報に対応する利用者に優先的にエレベータ６Ａ、６Ｂ、６Ｃが割り当てられるようにエレベータ６Ａ、６Ｂ、６Ｃの割当て計画を決定する（ステップＳ６３１５）。次に、ステップＳ６３１７以降の処理が実行される。
【０１０６】
本構成によれば、予め特定された特定の居室に設置された設備制御装置５００１から呼び出し情報が送出された場合にのみ、その特定の居室を使用した利用者へエレベータ６Ａ、６Ｂ、６Ｃを優先的に割当てる。これにより、特定の居室に設置された設備制御装置１から呼び出し情報が送出されない限り、他の居室の利用者に対して残り所要時間に基づいてエレベータ６Ａ、６Ｂ、６Ｃが割り当てられる。従って、エレベータ６Ａ、６Ｂ、６Ｃの利用効率を向上させることができる。
【０１０７】
実施の形態では、設備制御装置１および利用者情報生成装置２がエレベータ管理装置３とネットワークＮＴを介して接続されており、設備制御装置１から読み出し情報が送出されると、エレベータ６Ａ、６Ｂ、６Ｃの乗りかご６１Ａ、６１Ｂ、６１Ｃを設備制御装置１が設置された階床に呼び出される例について説明した。但し、これに限らず、例えば建物にエスカレータが設置されており、設備制御装置１および利用者情報生成装置２が、エスカレータの動作を制御するエスカレータ制御装置にネットワークＮＴを介して接続されていてもよい。この場合、利用者情報生成装置２は、設備制御装置１が設置された居室とエレベータの乗り場との間の距離を示す距離情報を各設備制御装置１の装置識別情報と対応づけて記憶するようにすればよい。ここでは、エスカレータ制御装置は、通常、エスカレータを停止させている。そして、設備制御装置１が呼び出し情報を利用者情報生成装置へ送信すると、利用者情報生成装置２は、利用者がエスカレータの乗り場まで移動するのに要する所要時間を示す所要時間情報を含む利用者情報をエスカレータ制御装置へ送信する。エスカレータ制御装置は、利用者情報を受信すると、利用者情報に含まれる所要時間情報に基づいてエスカレータの動作を開始させる。これにより、エスカレータを効率的に運転することが可能となる。
【０１０８】
或いは、建物ＢＵ内にタクシー会社の連絡先を管理する管理装置が設置されており、設備制御装置１および利用者情報生成装置２が、管理装置にネットワークＮＴを介して接続されていてもよい。この場合、利用者情報生成装置２は、設備制御装置１が設置された居室から例えばタクシーの乗降が可能な建物ＢＵの玄関までの間の距離を示す距離情報を各設備制御装置１の装置識別情報と対応づけて記憶するようにすればよい。そして、管理装置は、設備制御装置１から呼び出し情報が送出され、利用者情報生成装置２から利用者の玄関までの所要時間を示す所要時間情報を含む利用者情報を受信すると、所要時間情報に基づいて、建物ＢＵの玄関への到着要求時刻を示す情報を含む配車依頼情報をインターネットのような広域ネットワークを通じてタクシー会社へ通知する。これにより、タクシー会社におけるタクシーの効率的な運用が実現できる。更に、今後、自動車の自動運転技術が進歩し、自動運転自動車を割り当てる事業が可能となった場合、管理装置が、利用者情報に基づいて、自動運転自動車の各利用者への割当て計画を示す割当て計画情報を生成するようにしてもよい。
【０１０９】
また、本発明に係る設備制御装置１、利用者情報生成装置２およびエレベータ管理装置３の各種機能は、ソフトウェア、ファームウェア、またはソフトウェアとファームウェアとの組み合わせにより実現されてもよい。この場合、ソフトウェアやファームウェアは、プログラムとして記述され、補助記憶部１０３、２０３、３０３に記憶される。また、本発明に係る設備制御装置１、利用者情報生成装置２およびエレベータ管理装置３の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行する設備制御装置１、利用者情報生成装置２およびエレベータ管理装置３を構成してもよい。
【０１１０】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行する設備制御装置１、利用者情報生成装置２およびエレベータ管理装置３として機能する。
【０１１１】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【０１１２】
本発明は、複数の階床を有する建物に設置された複数のエレベータの群の管理に好適である。
【符号の説明】
【０１１３】
１  設備制御装置、１ａ  筐体、１ｂ  窓部、１ｃ  電源釦、２  利用者情報生成装置、３  エレベータ管理装置、５  呼び出し釦、６Ａ，６Ｂ，６Ｃ  エレベータ、７  空気調和機、８  照明装置、６１Ａ，６１Ｂ，６１Ｃ  乗りかご、６２Ａ，６２Ｂ，６２Ｃ  ワイヤ、６３Ａ，６３Ｂ，６３Ｃ  駆動装置、７１  空気調和機制御部、７２，８２，１０４  設備通信部、７３  圧縮機、７４  送風ファン、７５，７６  駆動部、８１  照明制御部、８３  光源、１０１，２０１，３０１  ＣＰＵ、１０２，２０２，３０２  主記憶部、１０３，２０３，３０３  補助記憶部、１０５  操作部、１０６，２０６，３０６  ネットワーク通信部、１０７  表示部、１０７ａ  操作画面、１０９，２０９，３０９  バス、１１１  操作情報取得部、１１２  操作内容判定部、１１３  制御情報送信部、１１４  呼び出し情報生成部、１１５  操作画面表示部、１３１  制御情報記憶部、１３２  装置識別情報記憶部、１３３  操作画面情報記憶部、１３５  ステータス情報記憶部、２１１  呼び出し情報受信部、２１２  距離情報取得部、２１３  所要時間算出部、２１４  利用者情報生成部、２３１  レイアウト情報記憶部、２３２  移動速度情報記憶部、３０４，３０５  インタフェース、３１１  呼び出し釦押下情報取得部、３１２  利用者情報受信部、３１３  計時部、３１４  判定部、３１５  残り所要時間算出部、３１６  決定部、３１７  指令情報生成部、３１８  位置情報取得部、３１９  削除部、３３１  利用者情報記憶部、３３３  割当て計画情報記憶部、３３４  階床情報記憶部、Ａ１  廊下、ＢＤ１  境界線、ＢＵ  建物、ＣＢＴ，ＭＢＴ  操作釦、ＥＨ  エレベータ乗り場、ＮＴ  ネットワーク、Ｒ２０１，Ｒ２０２，・・・，Ｒ５０３  居室、ＲＭ  機械室、Ｕ：利用者
【図１】
2019182562.tif 000003
【図２】
2019182562.tif 000004
【図３】
2019182562.tif 000005
【図４】
2019182562.tif 000006
【図５】
2019182562.tif 000007
【図６】
2019182562.tif 000008
【図７】
2019182562.tif 000009
【図８】
2019182562.tif 000010
【図９】
2019182562.tif 000011
【図１０】
2019182562.tif 000012
【図１１】
2019182562.tif 000013
【図１２】
2019182562.tif 000014
【図１３】
2019182562.tif 000015
【図１４】
2019182562.tif 000016
【図１５】
2019182562.tif 000017
【図１６】
2019182562.tif 000018
【図１７】
2019182562.tif 000019
【図１８】
2019182562.tif 000020
【図１９】
2019182562.tif 000021
【図２０】
2019182562.tif 000022
【図２１】
2019182562.tif 000023
【図２２】
2019182562.tif 000024
【図２３】
2019182562.tif 000025
【図２４】
2019182562.tif 000026
【図２５】
2019182562.tif 000027
【図２６】
2019182562.tif 000028
【図２７】
2019182562.tif 000029